(57)【特許請求の範囲】
【請求項１】
アップリンク制御情報（ＵＣＩ）の伝送方法であって、
前記方法は、
端末装置が、肯定応答ＡＣＫ/否定応答ＮＡＣＫの、現在サブフレームにおける最小フィードバックビット数Ｂｍｉｎ及び/または最大フィードバックビット数Ｂｍａｘを確定するステップと、
前記端末装置が、１つのダウンリンクキャリアを選択し、前記ダウンリンクキャリアのチャネル状態情報ＣＳＩの報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断するステップと、
前記端末装置の判断結果がＣ＞Ａ-Ｂｍｉｎである場合、前記端末装置が、ＢｍａｘビットのＡＣＫ/ＮＡＣＫフィードバック情報を生成し、現在サブフレームにおける対応のチャネル・リソースにおいて、生成した前記ＡＣＫ/ＮＡＣＫフィードバック情報を伝送するステップと
前記端末装置の判断結果がＣ≦Ａ-Ｂｍａｘである場合、前記端末装置が、ＢｍａｘビットのＡＣＫ/ＮＡＣＫフィードバック情報と、ＣビットのＣＳＩフィードバック情報とを生成し、現在サブフレームにおける対応のチャネル・リソースにおいて、生成した前記ＡＣＫ/ＮＡＣＫフィードバック情報と、前記ＣＳＩフィードバック情報とを同時に伝送するステップと、
前記端末装置の判断結果が他の結果である場合、前記端末装置が、ＣビットのＣＳＩフィードバック情報を生成し、全部または一部のマルチコード名伝送のダウンリンクキャリアのＡＣＫ/ＮＡＣＫフィードバック情報に対し空間合併を行い、現在サブフレームにおける対応のチャネル・リソースにおいて、生成した空間合併後のＡＣＫ/ＮＡＣＫフィードバック情報と、前記ＣＳＩフィードバック情報とを同時に伝送するステップとを備え、  前記空間合併後のＡＣＫ/ＮＡＣＫフィードバック情報のビット数は、Ａ-Ｃの値を超えないことを特徴とするアップリンク制御情報（ＵＣＩ）の伝送方法。
【請求項２】
前記端末装置が、ＡＣＫ/ＮＡＣＫの、現在サブフレームにおける最小フィードバックビット数Ｂｍｉｎ及び/または最大フィードバックビット数Ｂｍａｘを確定することは、  前記端末装置は、設定キャリア数Ｎと、各キャリアｉ上の、現在サブフレームにおいてＡＣＫ/ＮＡＣＫをフィードバックすべきダウンリンクサブフレーム数Ｍｉとに基づいて、数１により、前記Ｂｍｉｎを確定し、前記Ｂｍｉｎは数１で表し、
0005992102.tif 000009
及び/または、
前記端末装置は、設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、数２により、前記Ｂｍａｘを確定し、前記Ｂｍａｘは数２で表し、
0005992102.tif 000010
ここで、Ｃｉの値は、以下の規則に従い、
シングルコード名伝送のキャリアの場合、Ｃｉは１であり、マルチコード名伝送のキャリアの場合、Ｃｉは２であり、
或いは、
シングルコード名伝送、またはマルチコード名伝送であり、且つ空間合併を利用するキャリアの場合、Ｃｉは１であり、マルチコード名伝送であり、且つ空間合併を利用しないキャリアの場合、Ｃｉは２であり、
Ｍｉは、キャリアｉ上の、現在サブフレームにおいてＡＣＫ/ＮＡＣＫをフィードバックすべきダウンリンクサブフレーム数を示し、その値は以下の規則に従い、周波数分割複信（ＦＤＤ）システムの場合、Ｍｉは１であり、時分割複信（ＴＤＤ）システムの場合、異なるアグリゲーションキャリアに対応するＭｉの値は、同一であるか、異なり、
前記端末装置が１つのダウンリンクキャリアを選択する仕様は、
前記端末装置は、ＣＳＩ報告タイプ優先レベルに基づいて、最高優先レベルＣＳＩ報告タイプを有するダウンリンクキャリアを１つ選択し、ここで、複数のダウンリンクキャリアが同時に最高優先レベルＣＳＩ報告タイプを有する場合、キャリア番号に基づいて、前記複数のキャリア中の最小キャリア番号を有するダウンリンクキャリアを選択し、
または、
前記端末装置は、直接にキャリア番号に基づいて、最小キャリア番号を有するダウンリンクキャリアを選択し、
または、
前記端末装置は、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定し、ＣＳＩ報告タイプ優先レベルに基づいて、前記ダウンリンクキャリア集合から、最高優先レベルＣＳＩ報告タイプを有するダウンリンクキャリアを１つ選択し、ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択し、
または、
前記端末装置は、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定し、且つ、直接にキャリア番号に基づいて、前記ダウンリンクキャリア集合における最小キャリア番号を有するダウンリンクキャリアを選択し、
または、
前記端末装置は、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定し、ＣＳＩ報告タイプ優先レベルに基づいて、前記ダウンリンクキャリア集合から、最高優先レベルＣＳＩ報告タイプを有するダウンリンクキャリアを１つ選択し、ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択し、
または、
前記端末装置は、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定し、且つ、直接にキャリア番号に基づいて、前記ダウンリンクキャリア集合における最小キャリア番号を有するダウンリンクキャリアを選択し、
及び/または、
前記端末装置が、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定する場合、または、前記端末装置が、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定する場合、前記方法は、
前記端末装置により確定したダウンリンクキャリア集合が空集合であれば、前記端末装置Ｃ＞Ａ-Ｂｍｉｎであると直接に判断するステップを備え、
前記現在サブフレームが、スケジューリング・リクエスト（ＳＲ）伝送サブフレームである場合、前記端末装置が、現在サブフレームにおける対応のチャネル・リソースにおいて、生成した前記ＡＣＫ/ＮＡＣＫフィードバック情報を伝送するか、生成したＡＣＫ/ＮＡＣＫフィードバック情報と、前記ＣＳＩフィードバック情報とを同時に伝送するか、または生成した空間合併後のＡＣＫ/ＮＡＣＫフィードバック情報と、前記ＣＳＩフィードバック情報とを同時に伝送することは、
前記端末装置は、現在サブフレームにおける対応のチャネル・リソースにおいて、生成した前記ＡＣＫ/ＮＡＣＫフィードバック情報と、１ビットＳＲとを伝送し、または、生成したＡＣＫ/ＮＡＣＫフィードバック情報と、前記ＣＳＩフィードバック情報と、１ビットＳＲとを同時に伝送する或生成した、空間合併後のＡＣＫ/ＮＡＣＫフィードバック情報と、前記ＣＳＩフィードバック情報と、１ビットＳＲとを同時に伝送し、
前記閾値ビット数Ａは、既定値であるか、上位層シグナリングまたは物理ダウンリンク制御チャネル（ＰＤＣＣＨ）シグナリングにより通知した値であり、
ここで、前記Ａ値は、現在サブフレームにおける、ＡＣＫ/ＮＡＣＫフィードバック情報及びＣＳＩフィードバック情報を同時に伝送するアップリンク伝送案の最大搬送ビット数を超えない値であるか、または前記アップリンク伝送方案の最大搬送ビット数とＳＲビット数の差を越えないいずれの正の整数である
ことを特徴とする請求項１に記載のアップリンク制御情報（ＵＣＩ）の伝送方法。
【請求項３】
前記端末装置が、１つのダウンリンクキャリアを選択し、前記ダウンリンクキャリアのＣＳＩ報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断することは、
前記端末装置は、１つのダウンリンクキャリアを選択し、前記ダウンリンクキャリアのＣＳＩ報告タイプの実際フィードバックビット数Ｃｒｅａｌと、Ａや、Ｂｍｉｎ及び/またはＢｍａｘとの関係を判断し、
或いは、
前記端末装置は、１つのダウンリンクキャリアを選択し、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断することを特徴とする請求項１に記載のアップリンク制御情報（ＵＣＩ）の伝送方法。
【請求項４】
前記端末装置が前記ダウンリンクキャリアのＣＳＩ報告タイプの実際フィードバックビット数Ｃｒｅａｌと、Ａや、Ｂｍｉｎ及び/またはＢｍａｘとの関係を判断する場合、前記方法は、
前記端末装置の判断結果がＣｒｅａｌ＞Ａ-Ｂｍｉｎである場合、前記端末装置が、ＢｍａｘビットのＡＣＫ/ＮＡＣＫフィードバック情報を生成し、現在サブフレームにおける対応のチャネル・リソースにおいて、生成した前記ＡＣＫ/ＮＡＣＫフィードバック情報を伝送するステップと、
前記端末装置の判断結果がＣｒｅａｌ≦Ａ-Ｂｍａｘである場合、前記端末装置が、ＢｍａｘビットのＡＣＫ/ＮＡＣＫフィードバック情報と、ＣｒｅａｌビットのＣＳＩフィードバック情報とを生成して、現在サブフレームにおける対応のチャネル・リソースにおいて、生成した前記ＡＣＫ/ＮＡＣＫフィードバック情報と、前記ＣＳＩフィードバック情報とを同時に伝送するステップと、
前記端末装置の判断結果が他の結果である場合、前記端末装置が、ＣｒｅａｌビットのＣＳＩフィードバック情報を生成し、全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した空間合併後のＡＣＫ/ＮＡＣＫフィードバック情報と、前記ＣＳＩフィードバック情報とを同時に伝送するステップとを備え、
前記空間合併後のＡＣＫ/ＮＡＣＫフィードバック情報のビット数は、Ａ-Ｃｒｅａｌの値を超えないか、
或いは、
前記端末装置が、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断する場合、前記方法は、
前記端末装置の判断結果がＣｔyｐｅ_ｍａｘ＞Ａ-Ｂｍｉｎである場合、前記端末装置が、ＢｍａｘビットのＡＣＫ/ＮＡＣＫフィードバック情報を生成し、現在サブフレームにおける対応のチャネル・リソースにおいて、生成した前記ＢｍａｘビットのＡＣＫ/ＮＡＣＫフィードバック情報を伝送するステップと、
前記端末装置の判断結果がＣｔyｐｅ_ｍａｘ≦Ａ-Ｂｍａｘである場合、前記端末装置が、ＢｍａｘビットのＡＣＫ/ＮＡＣＫフィードバック情報と、Ｃｔyｐｅ_ｍａｘビットのＣＳＩフィードバック情報とを生成して、現在サブフレームにおける対応のチャネル・リソースにおいて、生成した前記ＢｍａｘビットのＡＣＫ/ＮＡＣＫフィードバック情報と、前記Ｃｔyｐｅ_ｍａｘビットのＣＳＩフィードバック情報とを伝送するステップと、  前記端末装置の判断結果が他の結果である場合、前記端末装置が、Ｃｔyｐｅ_ｍａｘビットのＣＳＩフィードバック情報を生成し、全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した空間合併後のＡＣＫ/ＮＡＣＫフィードバック情報と、前記Ｃｔyｐｅ_ｍａｘビットのＣＳＩフィードバック情報とを、同時に伝送するステップとを備え、
前記空間合併後のＡＣＫ/ＮＡＣＫフィードバック情報のビット数は、Ａ-Ｃｔyｐｅ_ｍａｘの値を超えない、
前記端末装置の判断結果がＣｔyｐｅ_ｍａｘ≦Ａ-Ｂｍａｘであるか、または他の結果である場合、前記端末装置が、Ｃｔyｐｅ_ｍａｘビットのＣＳＩフィードバック情報を生成することは、
前記端末装置は、ＣｒｅａｌビットのＣＳＩフィードバック情報を生成し、
ＣｒｅａｌがＣｔyｐｅ_ｍａｘより小さい場合、前記端末装置は、前記ＣｒｅａｌビットのＣＳＩフィードバック情報後に、Ｃｔyｐｅ_ｍａｘ-Ｃｒｅａｌビットのプレースホルダーを補充し、プレースホルダー補充後のＣＳＩフィードバック情報と、前記Ｃｔyｐｅ_ｍａｘビットのＣＳＩフィードバック情報として確定し、
Ｃｒｅａｌ=Ｃｔyｐｅ_ｍａｘである場合、前記端末装置は、実際に生成したＣｒｅａｌビットのＣＳＩフィードバック情報と、前記Ｃｔyｐｅ_ｍａｘビットのＣＳＩフィードバック情報に確定し、
前記ＣＳＩ報告タイプに対応する最大フィードバックビット数Ｃｔyｐｅ_ｍａｘは、
ランク指示ＲＩ値に基づいて報告するＣＳＩ報告タイプの場合、前記ＣＳＩ報告タイプに対応する最大フィードバックビット数Ｃｔyｐｅ_ｍａｘは、当該ＣＳＩ報告タイプにおける、現在設定状態の異なるＲＩ値に対応するフィードバックビット数の最大値であり、  他のＣＳＩ報告タイプの場合、前記ＣＳＩ報告タイプに対応する最大フィードバックビット数Ｃｔyｐｅ_ｍａｘは、実際フィードバックビット数であることを特徴とする請求項３に記載のアップリンク制御情報（ＵＣＩ）の伝送方法。
【請求項５】
端末装置であって、
前記端末装置は、
ＡＣＫ/ ＮＡＣＫの、現在サブフレームにおける最小フィードバックビット数Ｂｍｉｎ及び/または最大フィードバックビット数Ｂｍａｘを確定する確定モジュールと、
１つのダウンリンクキャリアを選択し、前記ダウンリンクキャリアのＣＳＩ報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断する判断モジュールと、
前記判断モジュールの判断結果がＣ＞Ａ-Ｂｍｉｎである場合、ＢｍａｘビットのＡＣＫ/ＮＡＣＫフィードバック情報を生成し、現在サブフレームにおける対応のチャネル・リソースにおいて、生成した前記ＡＣＫ/ＮＡＣＫフィードバック情報を伝送し、
前記判断モジュールの判断結果がＣ≦Ａ-Ｂｍａｘである場合、ＢｍａｘビットのＡＣＫ/ＮＡＣＫフィードバック情報と、ＣビットのＣＳＩフィードバック情報とを生成し、現在サブフレームにおける対応のチャネル・リソースにおいて、生成した前記ＡＣＫ/ＮＡＣＫフィードバック情報と、前記ＣＳＩフィードバック情報とを同時に伝送し、
前記判断モジュールの判断結果が他の結果である場合、ＣビットのＣＳＩフィードバック情報を生成し、全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した空間合併後のＡＣＫ/ＮＡＣＫフィードバック情報と、前記ＣＳＩフィードバック情報とを同時に伝送する処理モジュールとを備え、
前記空間合併後のＡＣＫ/ＮＡＣＫフィードバック情報のビット数は、Ａ-Ｃの値を超えないことを特徴とする端末装置。
【請求項６】
前記判断モジュールは、
１つのダウンリンクキャリアを選択し、且つ、前記ダウンリンクキャリアのＣＳＩ報告タイプの実際フィードバックビット数Ｃｒｅａｌと、Ａや、Ｂｍｉｎ及び/またはＢｍａｘとの関係を判断し、
または、
１つのダウンリンクキャリアを選択し、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断することを特徴とする請求項５に記載の端末装置。
【請求項７】
前記判断モジュールが前記ダウンリンクキャリアのＣＳＩ報告タイプの実際フィードバックビット数Ｃｒｅａｌと、Ａや、Ｂｍｉｎ及び/またはＢｍａｘとの関係を判断する場合、前記処理モジュールは、
前記判断モジュールの判断結果がＣｒｅａｌ＞Ａ-Ｂｍｉｎである場合、ＢｍａｘビットのＡＣＫ/ＮＡＣＫフィードバック情報を生成し、現在サブフレームにおける対応のチャネル・リソースにおいて、生成した前記ＡＣＫ/ＮＡＣＫフィードバック情報を伝送し、
前記判断モジュールの判断結果がＣｒｅａｌ≦Ａ-Ｂｍａｘである場合、ＢｍａｘビットのＡＣＫ/ＮＡＣＫフィードバック情報と、ＣｒｅａｌビットのＣＳＩフィードバック情報とを生成し、現在サブフレームにおける対応のチャネル・リソースにおいて、生成した前記ＡＣＫ/ＮＡＣＫフィードバック情報と、前記ＣＳＩフィードバック情報とを同時に伝送し、
前記判断モジュールの判断結果が他の結果である場合、ＣｒｅａｌビットのＣＳＩフィードバック情報を生成し、全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した空間合併後のＡＣＫ/ＮＡＣＫフィードバック情報と、前記ＣＳＩフィードバック情報とを同時に伝送し、ここで、前記空間合併後のＡＣＫ/ＮＡＣＫフィードバック情報のビット数は、Ａ-Ｃｒｅａｌの値を超えない、
または、
前記判断モジュールが、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断する場合、前記処理モジュールは、
前記判断モジュールの判断結果がＣｔyｐｅ_ｍａｘ＞Ａ-Ｂｍｉｎである場合、ＢｍａｘビットのＡＣＫ/ＮＡＣＫフィードバック情報を生成し、現在サブフレームにおける対応のチャネル・リソースにおいて、生成した前記ＢｍａｘビットのＡＣＫ/ＮＡＣＫフィードバック情報を伝送し、
前記判断モジュールの判断結果がＣｔyｐｅ_ｍａｘ≦Ａ-Ｂｍａｘである場合、ＢｍａｘビットのＡＣＫ/ＮＡＣＫフィードバック情報と、Ｃｔyｐｅ_ｍａｘビットのＣＳＩフィードバック情報とを生成し、現在サブフレームにおける対応のチャネル・リソースにおいて、生成した前記ＢｍａｘビットのＡＣＫ/ＮＡＣＫフィードバック情報と、前記Ｃｔyｐｅ_ｍａｘビットのＣＳＩフィードバック情報とを伝送し、
前記判断モジュールの判断結果が他の結果である場合、Ｃｔyｐｅ_ｍａｘビットのＣＳＩフィードバック情報を生成し、全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した空間合併後のＡＣＫ/ＮＡＣＫフィードバック情報と、前記Ｃｔyｐｅ_ｍａｘビットのＣＳＩフィードバック情報とを、同時に伝送し、ここで、前記空間合併後のＡＣＫ/ＮＡＣＫフィードバック情報のビット数は、Ａ-Ｃｔyｐｅ_ｍａｘの値を超えない、
ここで、前記判断モジュールの判断結果がＣｔyｐｅ_ｍａｘ≦Ａ-Ｂｍａｘであるか、または他の結果である場合、前記処理モジュールは、以下の仕様でＣｔyｐｅ_ｍａｘビットのＣＳＩフィードバック情報を生成し、
ＣｒｅａｌビットのＣＳＩフィードバック情報を生成し、
ＣｒｅａｌがＣｔyｐｅ_ｍａｘより小さい場合、前記ＣｒｅａｌビットのＣＳＩフィードバック情報後に、Ｃｔyｐｅ_ｍａｘ-Ｃｒｅａｌビットのプレースホルダーを補充し、プレースホルダー補充後のＣＳＩフィードバック情報と、前記Ｃｔyｐｅ_ｍａｘビットのＣＳＩフィードバック情報として確定し、
Ｃｒｅａｌ=Ｃｔyｐｅ_ｍａｘである場合、実際に生成したＣｒｅａｌビットのＣＳＩフィードバック情報が前記Ｃｔyｐｅ_ｍａｘビットのＣＳＩフィードバック情報として確定し、
及び/または、
前記確定モジュールは、
ランク指示ＲＩ値に基づいて報告するＣＳＩ報告タイプの場合、前記ＣＳＩ報告タイプに対応する最大フィードバックビット数Ｃｔyｐｅ_ｍａｘが、当該ＣＳＩ報告タイプにおける、現在設定状態の異なるＲＩ値に対応するフィードバックビット数の最大値であると確定し、
他のＣＳＩ報告タイプの場合、前記ＣＳＩ報告タイプに対応する最大フィードバックビット数Ｃｔyｐｅ_ｍａｘが、実際フィードバックビット数であると確定することを特徴とする請求項６に記載の端末装置。
【請求項８】
前記判断モジュールは、
ＣＳＩ報告タイプ優先レベルに基づいて、最高優先レベルＣＳＩ報告タイプを有するダウンリンクキャリアを１つ選択し、ここで、複数のダウンリンクキャリアが同時に最高優先レベルＣＳＩ報告タイプを有する場合、キャリア番号に基づいて、前記複数のキャリア中の最小キャリア番号を有するダウンリンクキャリアを選択し、
または、
直接キャリア番号に基づいて、最小キャリア番号を有するダウンリンクキャリアを選択し、
または、
現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定し、ＣＳＩ報告タイプ優先レベルに基づいて、前記ダウンリンクキャリア集合から、最高優先レベルＣＳＩ報告タイプを有するダウンリンクキャリアを１つ選択し、ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択し、
または、
現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定し、且つ、直接にキャリア番号に基づいて、前記ダウンリンクキャリア集合における最小キャリア番号を有するダウンリンクキャリアを選択し、
または、
現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定し、ＣＳＩ報告タイプ優先レベルに基づいて、前記ダウンリンクキャリア集合から、最高優先レベルＣＳＩ報告タイプを有するダウンリンクキャリアを１つ選択し、ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択し、
または、
現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定し、且つ、直接にキャリア番号に基づいて、前記ダウンリンクキャリア集合における最小キャリア番号を有するダウンリンクキャリアを選択し、
及び/または、
前記判断モジュールが、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合時を確定するか、または、前記判断モジュールが、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定する場合、前記判断モジュールは、
判断モジュールにより確定したダウンリンクキャリア集合が空集合出る場合、Ｃ＞Ａ-Ｂｍｉｎであると直接に判断し、
前記現在サブフレームが、スケジューリング・リクエスト（ＳＲ）伝送サブフレームである場合、前記処理モジュールは、
現在サブフレームにおける対応のチャネル・リソースにおいて、生成した前記ＡＣＫ/ＮＡＣＫフィードバック情報と、１ビットＳＲとを伝送し、または、生成したＡＣＫ/ＮＡＣＫフィードバック情報と、前記ＣＳＩフィードバック情報と、１ビットＳＲとを同時に伝送する或生成した、空間合併後のＡＣＫ/ＮＡＣＫフィードバック情報と、前記ＣＳＩフィードバック情報と、１ビットＳＲとを同時に伝送し、
前記確定モジュールは、
設定キャリア数Ｎと、各キャリアｉ上の、現在サブフレームにおいてＡＣＫ/ＮＡＣＫをフィードバックすべきダウンリンクサブフレーム数Ｍｉとに基づいて、数１により、前記Ｂｍｉｎを確定し、
0005992102.tif 000011
及び/または、
設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、数２により、前記Ｂｍａｘを確定し、
0005992102.tif 000012
ここで、Ｃｉの値は、以下の規則に従い、
シングルコード名伝送のキャリアの場合、Ｃｉは１であり、マルチコード名伝送のキャリアの場合、Ｃｉは２であり、または、
シングルコード名伝送、またはマルチコード名伝送であり、且つ空間合併を利用するキャリアの場合、Ｃｉは１であり、マルチコード名伝送であり、且つ空間合併を利用しないキャリアの場合、Ｃｉは２であり、
Ｍｉは、キャリアｉ上の、現在サブフレームにおいてＡＣＫ/ＮＡＣＫをフィードバックすべきダウンリンクサブフレーム数を示し、その値は以下の規則に従い、周波数分割複信（ＦＤＤ）システムの場合、Ｍｉは１であり、時分割複信（ＴＤＤ）システムの場合、異なるアグリゲーションキャリアに対応するＭｉの値は、同一であるか、異なり、
及び/または、
前記確定モジュールは、事前設定、または、上位層シグナリングや、物理ダウンリンク制御チャネルＰＤＣＣＨシグナリングにより取得した設定情報に基づいて、前記閾値ビット数Ａを確定し、ここで、前記Ａは、現在サブフレームにおける、ＡＣＫ/ＮＡＣＫフィードバック情報及びＣＳＩフィードバック情報を同時に伝送するアップリンク伝送案の最大搬送ビット数を超えない値であるか、または前記アップリンク伝送方案の最大搬送ビット数とＳＲビット数の差を越えないいずれの正の整数であることを特徴とする請求項５または請求項６に記載の端末装置。
【請求項９】
アップリンク制御情報（ＵＣＩ）の伝送方法であって、
前記方法は、
基地局が、端末装置によりフィードバックしたＡＣＫ/ＮＡＣＫの、現在サブフレームにおける最小フィードバックビット数Ｂｍｉｎ及び/または最大フィードバックビット数Ｂｍａｘを確定するステップと、
前記基地局が、１つのダウンリンクキャリアを選択し、前記ダウンリンクキャリアのＣＳＩ報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断するステップと、
前記基地局の判断結果がＣ＞Ａ-Ｂｍｉｎである場合、前記基地局が、現在サブフレームにおいて前記端末装置により伝送するＢｍａｘビットのＡＣＫ/ＮＡＣＫフィードバック情報を確定し、現在サブフレームにおける対応のチャネル・リソースにおいて、前記確定したフィードバック情報ビット数に基づいて、前記端末装置により伝送したＡＣＫ/ＮＡＣＫフィードバック情報を受信するステップと、
前記基地局の判断結果がＣ≦Ａ-Ｂｍａｘである場合、前記基地局が、現在サブフレームにおいて前記端末装置により伝送するＢｍａｘビットのＡＣＫ/ＮＡＣＫフィードバック情報と、ＣビットのＣＳＩフィードバック情報とを確定し、現在サブフレームにおける対応のチャネル・リソースにおいて、前記確定したフィードバック情報ビット数に基づいて、前記端末装置により伝送したＡＣＫ/ＮＡＣＫフィードバック情報と、ＣＳＩフィードバック情報とを同時に受信するステップと、
前記基地局の判断結果が他の結果である場合、前記基地局が、現在サブフレームにおいて前記端末装置により伝送するＣビットのＣＳＩフィードバック情報を確定し、現在サブフレームにおいて前記端末装置により伝送するＡＣＫ/ＮＡＣＫフィードバック情報のビット数が、全部または一部のマルチコード名伝送のダウンリンクキャリアのＡＣＫ/ＮＡＣＫフィードバック情報を空間合併した後のビット数であると確定し、現在サブフレームにおける対応のチャネル・リソースにおいて、前記確定したフィードバック情報ビット数に基づいて、前記端末装置により伝送した空間合併後のＡＣＫ/ＮＡＣＫフィードバック情報と、前記ＣＳＩフィードバック情報とを同時に受信するステップとを備え、
前記空間合併後のＡＣＫ/ＮＡＣＫフィードバック情報のビット数は、Ａ-Ｃの値を超えないことを特徴とするアップリンク制御情報（ＵＣＩ）の伝送方法。
【請求項１０】
前記基地局が、１つのダウンリンクキャリアを選択し、前記ダウンリンクキャリアのＣＳＩ報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断することは、
前記基地局は、１つのダウンリンクキャリアを選択し、前記ダウンリンクキャリアのＣＳＩ報告タイプの実際フィードバックビット数Ｃｒｅａｌと、Ａや、Ｂｍｉｎ及び/またはＢｍａｘとの関係を判断し、
または、
前記基地局は、１つのダウンリンクキャリアを選択し、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断することを特徴とする請求項９に記載のアップリンク制御情報（ＵＣＩ）の伝送方法。
【請求項１１】
前記基地局が、前記ダウンリンクキャリアのＣＳＩ報告タイプの実際フィードバックビット数Ｃｒｅａｌと、Ａや、Ｂｍｉｎ及び/またはＢｍａｘとの関係を判断する場合、
前記方法は、
前記基地局の判断結果がＣｒｅａｌ＞Ａ-Ｂｍｉｎである場合、前記基地局が、現在サブフレームにおいて前記端末装置により伝送するＢｍａｘビットのＡＣＫ/ＮＡＣＫフィードバック情報を確定し、現在サブフレームにおける対応のチャネル・リソースにおいて、前記確定したフィードバック情報ビット数に基づいて、前記端末装置により伝送するＢｍａｘビットのＡＣＫ/ＮＡＣＫフィードバック情報を受信するステップと、
前記基地局の判断結果がＣｒｅａｌ≦Ａ-Ｂｍａｘである場合、前記基地局は、現在サブフレームにおいて前記端末装置により伝送するＢｍａｘビットのＡＣＫ/ＮＡＣＫフィードバック情報と、ＣｒｅａｌビットのＣＳＩフィードバック情報とを確定し、現在サブフレームにおける対応のチャネル・リソースにおいて、前記確定したフィードバック情報ビット数に基づいて、前記端末装置により伝送するＢｍａｘビットのＡＣＫ/ＮＡＣＫフィードバック情報と、ＣｒｅａｌビットのＣＳＩフィードバック情報とを同時に受信するステップと、
前記基地局の判断結果が他の結果である場合、前記基地局が、現在サブフレームにおいて前記端末装置により伝送されるＣｒｅａｌビットのＣＳＩフィードバック情報を確定し、前記端末装置により伝送するＡＣＫ/ＮＡＣＫフィードバック情報のビット数が、全部または一部のマルチコード名伝送のダウンリンクキャリアのＡＣＫ/ＮＡＣＫフィードバック情報に対して空間合併を行った後のビット数であると確定し、現在サブフレームにおける対応のチャネル・リソースにおいて、前記確定したフィードバック情報ビット数に基づいて、前記端末装置により伝送した空間合併後のＡＣＫ/ＮＡＣＫフィードバック情報と、前記ＣｒｅａｌビットのＣＳＩフィードバック情報とを同時に受信するステップとを備え、
ここで、前記空間合併後のＡＣＫ/ＮＡＣＫフィードバック情報のビット数は、Ａ-Ｃｒｅａｌの値を超えない；
または、
前記基地局が、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断する場合、前記方法は、
前記基地局の判断結果がＣｔyｐｅ_ｍａｘ＞Ａ-Ｂｍｉｎである場合、前記基地局が、現在サブフレームにおいて前記端末装置により伝送するＢｍａｘビットのＡＣＫ/ＮＡＣＫフィードバック情報を確定し、現在サブフレームにおける対応のチャネル・リソースにおいて、前記確定したフィードバック情報ビット数に基づいて、前記端末装置により伝送した前記ＢｍａｘビットのＡＣＫ/ＮＡＣＫフィードバック情報を受信するステップと、  前記基地局の判断結果がＣｔyｐｅ_ｍａｘ≦Ａ-Ｂｍａｘである場合、前記基地局が、現在サブフレームにおいて前記端末装置により伝送するＢｍａｘビットのＡＣＫ/ＮＡＣＫフィードバック情報と、Ｃｔyｐｅ_ｍａｘビットのＣＳＩフィードバック情報とを確定し、現在サブフレームにおける対応のチャネル・リソースにおいて、前記確定したフィードバック情報ビット数に基づいて、前記端末により伝送した前記ＢｍａｘビットのＡＣＫ/ＮＡＣＫフィードバック情報と、前記Ｃｔyｐｅ_ｍａｘビットのＣＳＩフィードバック情報とを同時に受信するステップと、
前記基地局の判断結果が他の結果である場合、前記基地局が、現在サブフレームにおいて前記端末装置により伝送するＣｔyｐｅ_ｍａｘビットのＣＳＩフィードバック情報を確定し、現在サブフレームにおいて前記端末装置により伝送するＡＣＫ/ＮＡＣＫフィードバック情報のビット数が、全部または一部のマルチコード名伝送のダウンリンクキャリアのＡＣＫ/ＮＡＣＫフィードバック情報を空間合併した後のビット数であると確定し、現在サブフレームにおける対応のチャネル・リソースにおいて、前記確定したフィードバック情報ビット数に基づいて、前記端末装置により伝送した空間合併後のＡＣＫ/ＮＡＣＫフィードバック情報と、前記Ｃｔyｐｅ_ｍａｘビットのＣＳＩフィードバック情報とを受信するステップとを備え、
ここで、前記空間合併後のＡＣＫ/ＮＡＣＫフィードバック情報のビット数は、Ａ-Ｃｔyｐｅ_ｍａｘの値を超えない、
前記基地局の判断結果がＣｔyｐｅ_ｍａｘ≦Ａ-Ｂｍａｘであるか、または他の結果である場合、前記基地局が、現在サブフレームにおいて前記端末装置により伝送するＣｔyｐｅ_ｍａｘビットのＣＳＩフィードバック情報を確定することは、
前記基地局は、前記端末装置会ＣｒｅａｌビットのＣＳＩフィードバック情報を生成すると確定し、
ＣｒｅａｌがＣｔyｐｅ_ｍａｘより小さい場合、前記基地局は、前記Ｃｔyｐｅ_ｍａｘビットのＣＳＩフィードバック情報にＣｔyｐｅ_ｍａｘ-Ｃｒｅａｌビットのプレースホルダーが含まれることを確定し、受信した前記Ｃｔyｐｅ_ｍａｘビットのＣＳＩフィードバック情報中の前のＣｒｅａｌビット情報を、前記ダウンリンクキャリアの実際ＳＩフィードバック情報とし、
Ｃｒｅａｌ=Ｃｔyｐｅ_ｍａｘである場合、前記基地局は、前記Ｃｔyｐｅ_ｍａｘビットのＣＳＩフィードバック情報が、前記ダウンリンクキャリアの実際ＳＩフィードバック情報であると確定し、
及び/または、
前記基地局が前記ＣＳＩ報告タイプに対応する最大フィードバックビット数Ｃｔyｐｅ_ｍａｘを確定することは、
ＲＩ値をベースにして報告するＣＳＩ報告タイプの場合、前記ＣＳＩ報告タイプに対応する最大フィードバックビット数Ｃｔyｐｅ_ｍａｘは、当該ＣＳＩ報告タイプにおける、現在設定状態の異なるＲＩ値に対応するフィードバックビット数の最大値であり、
他のＣＳＩ報告タイプの場合、前記ＣＳＩ報告タイプに対応する最大フィードバックビット数Ｃｔyｐｅ_ｍａｘは、実際フィードバックビット数であることを特徴とする請求項１０に記載のアップリンク制御情報（ＵＣＩ）の伝送方法。
【請求項１２】
前記基地局が１つのダウンリンクキャリア選択仕様は、
前記基地局は、ＣＳＩ報告タイプ優先レベルに基づいて、最高優先レベルＣＳＩ報告タイプを有するダウンリンクキャリアを１つ選択し、ここで、複数のダウンリンクキャリアが同時に最高優先レベルＣＳＩ報告タイプを有する場合、キャリア番号に基づいて、前記複数のキャリア中の最小キャリア番号を有するダウンリンクキャリアを選択し、
または、
前記基地局は、直接キャリア番号に基づいて、最小キャリア番号を有するダウンリンクキャリアを選択し、
または、
前記基地局は、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定し、ＣＳＩ報告タイプ優先レベルに基づいて、前記ダウンリンクキャリア集合から、最高優先レベルＣＳＩ報告タイプを有するダウンリンクキャリアを１つ選択し、ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択し、
または、
前記基地局は、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定し、且つ、直接にキャリア番号に基づいて、前記ダウンリンクキャリア集合における最小キャリア番号を有するダウンリンクキャリアを選択し、
または、
前記基地局は、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定し、ＣＳＩ報告タイプ優先レベルに基づいて、前記ダウンリンクキャリア集合から、最高優先レベルＣＳＩ報告タイプを有するダウンリンクキャリアを１つ選択し、ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択し、
または、
前記基地局は、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定し、且つ、直接にキャリア番号に基づいて、前記ダウンリンクキャリア集合における最小キャリア番号を有するダウンリンクキャリアを選択し、  及び/または、
前記基地局が、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定するか，または、前記基地局が、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定する場合、前記方法は、
前記基地局により確定したダウンリンクキャリア集合が空集合である場合、前記基地局は、Ｃ＞Ａ-Ｂｍｉｎであると直接に判断し、
前記現在サブフレームが、スケジューリング・リクエスト（ＳＲ）伝送サブフレームである場合、前記基地局は、現在サブフレームにおける対応のチャネル・リソースにおいて、前記端末装置により伝送したＡＣＫ/ＮＡＣＫフィードバック情報を受信するか、または前記端末装置により伝送したＡＣＫ/ＮＡＣＫフィードバック情報と、前記ＣＳＩフィードバック情報とを同時に受信し、または前記端末装置により伝送した空間合併後のＡＣＫ/ＮＡＣＫフィードバック情報と、前記ＣＳＩフィードバック情報とを同時に受信し、  前記基地局は、現在サブフレームにおける対応のチャネル・リソースにおいて、前記端末装置により伝送した前記ＡＣＫ/ＮＡＣＫフィードバック情報和１ビットＳＲを受信し、または前記端末装置により伝送したＡＣＫ/ＮＡＣＫフィードバック情報と、前記ＣＳＩフィードバック情報と、１ビットＳＲとを同時に受信し、または前記端末装置により伝送した空間合併後のＡＣＫ/ＮＡＣＫフィードバック情報と、前記ＣＳＩフィードバック情報と、１ビットＳＲとを同時に受信し、
前記基地局が、端末装置によりフィードバックしたＡＣＫ/ＮＡＣＫの、現在サブフレームにおける最小フィードバックビット数Ｂｍｉｎ及び/または最大フィードバックビット数Ｂｍａｘを確定することは、
前記基地局は、前記端末装置に対応する設定キャリア数Ｎと、各キャリアｉ上の、現在サブフレームにおいてＡＣＫ/ＮＡＣＫをフィードバックすべきダウンリンクサブフレーム数Ｍｉとに基づいて、数１により、前記Ｂｍｉｎを確定し、
0005992102.tif 000013
及び/または、
前記基地局は、前記端末装置に対応する設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、数２により、前記Ｂｍａｘを確定し、
0005992102.tif 000014
ここで、Ｃｉの値は、以下の規則に従い、
シングルコード名伝送のキャリアの場合、Ｃｉは１であり、マルチコード名伝送のキャリアの場合、Ｃｉは２であり、
または、
対シングルコード名伝送、またはマルチコード名伝送であり、且つ空間合併を利用するキャリアの場合、Ｃｉは１であり、マルチコード名伝送であり、且つ空間合併を利用しないキャリアの場合、Ｃｉは２であり、
Ｍｉは、キャリアｉ上の、現在サブフレームにおいてＡＣＫ/ＮＡＣＫをフィードバックすべきダウンリンクサブフレーム数を示し、その値は以下の規則に従い、ＦＤＤシステムに対するＭｉは１であり、ＴＤＤシステムに対して、異なるアグリゲーションキャリアに対応するＭｉの値は、同一であるか、異なり、
及び/または、
前記基地局が前記閾値ビット数Ａを確定することは、
前記閾値ビット数Ａは、事前に設定した値であるか、または前記基地局により確定し、且つ上位層シグナリングや、物理ダウンリンク制御チャネルＰＤＣＣＨシグナリングにより、前記端末装置に通知した値であり、ここで、前記Ａは、現在サブフレームにおける、ＡＣＫ/ＮＡＣＫフィードバック情報及びＣＳＩフィードバック情報を同時に伝送するアップリンク伝送案の最大搬送ビット数を超えない値であるか、または前記アップリンク伝送方案の最大搬送ビット数とＳＲビット数の差を越えないいずれの正の整数である
ことを特徴とする請求項９または請求項１０に記載のアップリンク制御情報（ＵＣＩ）の伝送方法。
【請求項１３】
基地局であって、
前記基地局は、
端末装置によりフィードバックしたＡＣＫ/ＮＡＣＫの、現在サブフレームにおける最小フィードバックビット数Ｂｍｉｎ及び/または最大フィードバックビット数Ｂｍａｘを確定する確定モジュールと、
１つのダウンリンクキャリアを選択し、前記ダウンリンクキャリアのＣＳＩ報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断する判断モジュールと、
前記判断モジュールの判断結果がＣ＞Ａ-Ｂｍｉｎである場合、現在サブフレームにおいて前記端末装置により伝送するＢｍａｘビットのＡＣＫ/ＮＡＣＫフィードバック情報を確定し、現在サブフレームにおける対応のチャネル・リソースにおいて、前記確定したフィードバック情報ビット数に基づいて、前記端末装置により伝送したＡＣＫ/ＮＡＣＫフィードバック情報を受信し、
前記判断モジュールの判断結果がＣ≦Ａ-Ｂｍａｘである場合、現在サブフレームにおいて前記端末装置により伝送するＢｍａｘビットのＡＣＫ/ＮＡＣＫフィードバック情報と、ＣビットのＣＳＩフィードバック情報とを確定し、現在サブフレームにおける対応のチャネル・リソースにおいて、前記確定したフィードバック情報ビット数に基づいて、前記端末装置により伝送したＡＣＫ/ＮＡＣＫフィードバック情報と、ＣＳＩフィードバック情報とを同時に受信し、
前記判断モジュールの判断結果が他の結果である場合、現在サブフレームにおいて前記端末装置により伝送するＣビットのＣＳＩフィードバック情報を確定し、現在サブフレームにおいて前記端末装置により伝送するＡＣＫ/ＮＡＣＫフィードバック情報のビット数が、全部または一部のマルチコード名伝送のダウンリンクキャリアのＡＣＫ/ＮＡＣＫフィードバック情報を空間合併した後のビット数であると確定し、現在サブフレームにおける対応のチャネル・リソースにおいて、前記確定したフィードバック情報ビット数に基づいて、前記端末装置により伝送した空間合併後のＡＣＫ/ＮＡＣＫフィードバック情報と、前記ＣＳＩフィードバック情報とを同時に受信する処理モジュールとを備えることを特徴とする基地局。
【請求項１４】
前記判断モジュールは、
１つのダウンリンクキャリアを選択し、前記ダウンリンクキャリアのＣＳＩ報告タイプの実際フィードバックビット数Ｃｒｅａｌと、Ａや、Ｂｍｉｎ及び/またはＢｍａｘとの関係を判断し、または、
１つのダウンリンクキャリアを選択し、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断することを特徴とする請求項１３に記載の基地局。
【請求項１５】
前記判断モジュールが前記ダウンリンクキャリアのＣＳＩ報告タイプの実際フィードバックビット数Ｃｒｅａｌと、Ａや、Ｂｍｉｎ及び/またはＢｍａｘとの関係を判断する場合、前記処理モジュールは、
前記判断モジュールの判断結果がＣｒｅａｌ＞Ａ-Ｂｍｉｎである場合、現在サブフレームにおいて前記端末装置により伝送するＢｍａｘビットのＡＣＫ/ＮＡＣＫフィードバック情報を確定し、現在サブフレームにおける対応のチャネル・リソースにおいて、前記確定したフィードバック情報ビット数に基づいて、前記端末装置により伝送するＢｍａｘビットのＡＣＫ/ＮＡＣＫフィードバック情報を受信し、
前記判断モジュールの判断結果がＣｒｅａｌ≦Ａ-Ｂｍａｘである場合、現在サブフレームにおいて前記端末装置により伝送するＢｍａｘビットのＡＣＫ/ＮＡＣＫフィードバック情報と、ＣｒｅａｌビットのＣＳＩフィードバック情報とを確定し、現在サブフレームにおける対応のチャネル・リソースにおいて、前記確定したフィードバック情報ビット数に基づいて、前記端末装置により伝送するＢｍａｘビットのＡＣＫ/ＮＡＣＫフィードバック情報と、ＣｒｅａｌビットのＣＳＩフィードバック情報とを受信し、
前記判断モジュールの判断結果が他の結果である場合、現在サブフレームにおいて前記端末装置により伝送されるＣｒｅａｌビットのＣＳＩフィードバック情報を確定し、前記端末装置により伝送するＡＣＫ/ＮＡＣＫフィードバック情報のビット数が、全部または一部のマルチコード名伝送のダウンリンクキャリアのＡＣＫ/ＮＡＣＫフィードバック情報に対して空間合併を行った後のビット数であると確定し、現在サブフレームにおける対応のチャネル・リソースにおいて、前記確定したフィードバック情報ビット数に基づいて、前記端末装置により伝送した空間合併後のＡＣＫ/ＮＡＣＫフィードバック情報と、前記ＣｒｅａｌビットのＣＳＩフィードバック情報とを同時に受信し、ここで、前記空間合併後のＡＣＫ/ＮＡＣＫフィードバック情報のビット数は、Ａ-Ｃｒｅａｌの値を超えない、
または、前記判断モジュールが前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断する場合、前記処理モジュールは、
前記判断モジュールの判断結果がＣｔyｐｅ_ｍａｘ＞Ａ-Ｂｍｉｎである場合、現在サブフレームにおいて前記端末装置により伝送するＢｍａｘビットのＡＣＫ/ＮＡＣＫフィードバック情報を確定し、現在サブフレームにおける対応のチャネル・リソースにおいて、前記確定したフィードバック情報ビット数に基づいて、前記端末装置により伝送した前記ＢｍａｘビットのＡＣＫ/ＮＡＣＫフィードバック情報を受信し、
前記判断モジュールの判断結果がＣｔyｐｅ_ｍａｘ≦Ａ-Ｂｍａｘである場合、現在サブフレームにおいて前記端末装置により伝送するＢｍａｘビットのＡＣＫ/ＮＡＣＫフィードバック情報と、Ｃｔyｐｅ_ｍａｘビットのＣＳＩフィードバック情報とを確定し、現在サブフレームにおける対応のチャネル・リソースにおいて、前記確定したフィードバック情報ビット数に基づいて、前記端末により伝送した前記ＢｍａｘビットのＡＣＫ/ＮＡＣＫフィードバック情報と、前記Ｃｔyｐｅ_ｍａｘビットのＣＳＩフィードバック情報とを同時に受信し、
前記判断モジュールの判断結果が他の結果である場合、現在サブフレームにおいて前記端末装置により伝送するＣｔyｐｅ_ｍａｘビットのＣＳＩフィードバック情報を確定し、現在サブフレームにおいて前記端末装置により伝送するＡＣＫ/ＮＡＣＫフィードバック情報のビット数が、全部または一部のマルチコード名伝送のダウンリンクキャリアのＡＣＫ/ＮＡＣＫフィードバック情報を空間合併した後のビット数であると確定し、現在サブフレームにおける対応のチャネル・リソースにおいて、前記確定したフィードバック情報ビット数に基づいて、前記端末装置により伝送した空間合併後のＡＣＫ/ＮＡＣＫフィードバック情報と、前記Ｃｔyｐｅ_ｍａｘビットのＣＳＩフィードバック情報とを受信し、ここで、前記空間合併後のＡＣＫ/ＮＡＣＫフィードバック情報のビット数は、Ａ-Ｃｔyｐｅ_ｍａｘの値を超えない、
ここで、前記判断モジュールの判断結果がＣｔyｐｅ_ｍａｘ≦Ａ-Ｂｍａｘであるか、または他の結果である場合、前記処理モジュールは下記の仕様で、現在サブフレームにおいて前記端末装置により伝送するＣｔyｐｅ_ｍａｘビットのＣＳＩフィードバック情報を確定し、
前記端末装置が、ＣｒｅａｌビットのＣＳＩフィードバック情報を生成すると確定し、  ＣｒｅａｌがＣｔyｐｅ_ｍａｘより小さい場合、前記Ｃｔyｐｅ_ｍａｘビットのＣＳＩフィードバック情報にＣｔyｐｅ_ｍａｘ-Ｃｒｅａｌビットのプレースホルダーが含まれることを確定し、受信した前記Ｃｔyｐｅ_ｍａｘビットのＣＳＩフィードバック情報中の前のＣｒｅａｌビット情報を、前記ダウンリンクキャリアの実際ＳＩフィードバック情報とし、
Ｃｒｅａｌ=Ｃｔyｐｅ_ｍａｘである場合、前記基地局は、前記Ｃｔyｐｅ_ｍａｘビットのＣＳＩフィードバック情報が、前記ダウンリンクキャリアの実際ＳＩフィードバック情報であり、
及び/または、
前記確定モジュールは、
ＲＩ値をベースにして報告するＣＳＩ報告タイプの場合、前記ＣＳＩ報告タイプに対応する最大フィードバックビット数Ｃｔyｐｅ_ｍａｘが当該ＣＳＩ報告タイプにおける、現在設定状態の異なるＲＩ値に対応するフィードバックビット数の最大値であると確定し、  他のＣＳＩ報告タイプの場合、前記ＣＳＩ報告タイプに対応する最大フィードバックビット数Ｃｔyｐｅ_ｍａｘが、実際フィードバックビット数であると確定すると確定することを特徴とする請求項１４に記載の基地局。
【請求項１６】
前記判断モジュールは、
ＣＳＩ報告タイプ優先レベルに基づいて、最高優先レベルＣＳＩ報告タイプを有するダウンリンクキャリアを１つ選択し、ここで、複数のダウンリンクキャリアが同時に最高優先レベルＣＳＩ報告タイプを有する場合、キャリア番号に基づいて、前記複数のキャリア中の最小キャリア番号を有するダウンリンクキャリアを選択し、または、
直接キャリア番号に基づいて、最小キャリア番号を有するダウンリンクキャリアを選択し、
または、
現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定し、ＣＳＩ報告タイプ優先レベルに基づいて、前記ダウンリンクキャリア集合から、最高優先レベルＣＳＩ報告タイプを有するダウンリンクキャリアを１つ選択し、ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択し、
または、
現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定し、且つ、直接にキャリア番号に基づいて、前記ダウンリンクキャリア集合における最小キャリア番号を有するダウンリンクキャリアを選択し、
または、
現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定し、ＣＳＩ報告タイプ優先レベルに基づいて、前記ダウンリンクキャリア集合から、最高優先レベルＣＳＩ報告タイプを有するダウンリンクキャリアを１つ選択し、ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択し、
または、
現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定し、且つ、直接にキャリア番号に基づいて、前記ダウンリンクキャリア集合における最小キャリア番号を有するダウンリンクキャリアを選択し、
及び/または、
前記判断モジュールが、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合時を確定するか、または、前記判断モジュールが、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定する場合、前記判断モジュールは、
前記基地局により確定したダウンリンクキャリア集合が空集合である場合、Ｃ＞Ａ-Ｂｍｉｎであると直接に判断し、
前記現在サブフレームが、スケジューリング・リクエスト（ＳＲ）伝送サブフレームである場合、前記処理モジュールは、
現在サブフレームにおける対応のチャネル・リソースにおいて、前記端末装置により伝送した前記ＡＣＫ/ＮＡＣＫフィードバック情報和１ビットＳＲを受信するか、または前記端末装置により伝送したＡＣＫ/ＮＡＣＫフィードバック情報と、前記ＣＳＩフィードバック情報和１ビットＳＲとを同時に受信するか、または前記端末装置により伝送した空間合併後のＡＣＫ/ＮＡＣＫフィードバック情報と、前記ＣＳＩフィードバック情報と、１ビットＳＲとを同時に受信し、
前記確定モジュールは、
前記端末装置に対応する設定キャリア数Ｎと、各キャリアｉ上の、現在サブフレームにおいてＡＣＫ/ＮＡＣＫをフィードバックすべきダウンリンクサブフレーム数Ｍｉとに基づいて、数１により、前記Ｂｍｉｎを確定し、
0005992102.tif 000015
及び/または、
前記端末装置に対応する設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、数２により、前記Ｂｍａｘを確定し、
0005992102.tif 000016
ここで、Ｃｉの値は、以下の規則に従い、
シングルコード名伝送のキャリアの場合、Ｃｉは１であり、マルチコード名伝送のキャリアの場合、Ｃｉは２であり、または、
シングルコード名伝送、またはマルチコード名伝送であり、且つ空間合併を利用するキャリアの場合、Ｃｉは１であり、マルチコード名伝送であり、且つ空間合併を利用しないキャリアの場合、Ｃｉは２であり、
Ｍｉは、キャリアｉ上の、現在サブフレームにおいてＡＣＫ/ＮＡＣＫをフィードバックすべきダウンリンクサブフレーム数を示し、その値は以下の規則に従い、ＦＤＤシステムの場合、Ｍｉは１であり、ＴＤＤシステムの場合、異なるアグリゲーションキャリアに対応するＭｉの値は、同一であるか、異なり、
及び/または、
前記確定モジュールは、事前設定に基づいて前記閾値ビット数Ａを確定するか、または前記閾値ビット数Ａを確定して、上位層シグナリングや、物理ダウンリンク制御チャネルＰＤＣＣＨシグナリングにより、前記Ａを、前記端末装置に割り当て、ここで、前記Ａは、現在サブフレームにおける、ＡＣＫ/ＮＡＣＫフィードバック情報及びＣＳＩフィードバック情報を同時に伝送するアップリンク伝送案の最大搬送ビット数を超えない値であるか、または前記アップリンク伝送方案の最大搬送ビット数とＳＲビット数の差を越えないいずれの正の整数である
ことを特徴とする請求項１３または請求項１４に記載の基地局。
【発明の詳細な説明】
【技術分野】
【０００１】
本発明は通信技術分野に関し、特にアップリンク制御情報（ＵＣＩ）の伝送方法及び装置に関する。
【背景技術】
【０００２】
ＬＴＥ-Ａ（Ｌｏｎｇ Ｔｅｒｍ Ｅｖｏｌｕｔｉｏｎ−Ａｄｖａｎｃｅｄ）システムにおいて、ピーク速度は、ダウンリンクが１Gbｐs、アップリンクが５００Ｍbｐsに達することが要求され、ＬＴＥ（Ｌｏｎｇ Ｔｅｒｍ Ｅｖｏｌｕｔｉｏｎ）システムにより大幅いに向上されている。
【０００３】
そのため、キャリアアグリゲーション（Ｃａｒｒｉｅｒ Ａｇｇｒｅｇａｔｉｏｎ，ＣＡ）技術が導入され、同一ｅＮＢ（ｅｖｏｌｖｅｄ Ｎｏｄｅ Ｂ）の複数の連続または不連続のキャリアをアグリゲーションして、ユーザー装置（Ｕｓｅｒ Ｅｑｕｉｐｍｅｎｔ，ＵＥ，即ち、端末装置）に同時にサービスを提供することができる。図１は、従来のＣＡ技術の実施案を示す図である。
【０００４】
これらのアグリゲーションされたキャリアは、ＣＣ（Ｃｏｍｐｏｎｅｎｔ Ｃａｒｒｉｅｒ，コンポーネント・キャリア）とも呼ばされる。ＬＴＥシステムにおけるＵＥの交換性を確保するため、各キャリアは、最大２０ＭＨｚを超えない。
【０００５】
また、ＵＣＩ（Ｕｐｌｉｎk Ｃｏｎｔｒｏｌ Ｉｎfｏｒｍａｔｉｏｎ，アップリンク制御情報）に対して、以下で説明する。
【０００６】
ＵＣＩ（ＵＰｌｉｎｋ Ｃｏｎｔｒｏｌ Ｉｎｆｏｒｍａｔｉｏｎ，アップリンク制御情報）は、ＡＣＫ/ＮＡＣＫ（Ａｃｋｎｏｗｌｅｄｇｅｍｅｎｔ/Ｎｏｎ-Ａｃｋｎｏｗｌｅｇｅｍｅｎｔ，肯定応答/否定応答）情報と、周期ＣＳＩ（ＣｈＡｎｎｅｌ Ｓｔａｔｅ Ｉｎｆｏｒｍａｔｉｏｎ，チャネル状態情報）と、ＳＲ（Ｓｃｈｅｄｕｌｉｎｇ Ｒｅｑｕｅｓｔ，スケジューリング・リクウェスト）情報とを含む。
【０００７】
ここで、周期ＣＳＩは、ＲＩ（ＲＡｎｋ ＩｎｄｉｃＡｔｏｒ，ランク指標）情報と、ＣＱＩ（ＣｈＡｎｎｅｌ ＱｕＡｌｉｔｙ ＩｎｄｉｃＡｔｏｒ，チャネル品質指標）情報と、ＰＭＩ（Ｐｒｅｃｏｄｉｎｇ ＭＡｔｒｉｘ ＩｎｄｉｃＡｔｏｒ，プリコーディングマトリックス指標）情報と、ＰＴＩ（Ｐｒｅｃｏｄｅｒ Ｔｙｐｅ ＩｎｄｉｃＡｔｉｏｎ，プリコーディングタイプ指標）情報とを含む。
【０００８】
ＬＴＥ-Ａ ＣＡシステムでは、複数のアグリゲーションさらたキャリアのマルチビットＡＣＫ/ＮＡＣＫ情報を伝送するＰＵＣＣＨ（ＰｈｙｓｉｃＡｌ Ｕｐｌｉｎｋ Ｃｏｎｔｒｏｌ ＣｈＡｎｎｅｌ，物理アップリンク制御チャネル）ｆｏｒｍａｔ（フォーマット） ３が定義されている。ＰＵＣＣＨ ｆｏｒｍａｔ ３の最大伝送容量は、２２ビットであり、最大２０ビットＡＣＫ/ＮＡＣＫと１ビット ＳＲのジョイントコーディング伝送をサポートする。
【０００９】
Ｒｅｌ-１０システムは、マルチキャリアのＡＣＫ/ＮＡＣＫ情報及び周期ＣＳＩのＰＵＣＣＨにおける同時伝送をサポートしない。現在サブフレームにマルチキャリアのＡＣＫ/ＮＡＣＫと周期ＣＳＩが同時に存在する場合、ＰＵＣＣＨのみにおいてＡＣＫ/ＮＡＣＫを伝送し、ＣＳＩを放棄する。
【００１０】
ＰＵＣＣＨ ｆｏｒｍａｔ３でＡＣＫ/ＮＡＣＫを伝送するＵＥは、ＡＣＫ/ＮＡＣＫ及びＣＳＩの１つのサブフレームにおける伝送をサポートするように設定され、且つＰＣＣ（Ｐｒｉｍａｒｙ Ｃｏｍｐｏｎｅｎｔ ＣＡｒｒｉｅｒ，主コンポーネント・キャリア）のみにおいて１つのダウンリンクサブフレームを受信する場合、当該ダウンリンクサブフレームのＡＣＫ/ＮＡＣＫ及び１つのキャリアの周期ＣＳＩのＰＵＣＣＨ ｆｏｒｍａｔ ２/２Ａ/２bでの同時伝送をサポートする。現在サブフレームにおいて、ＣＳＩをフィードバックすべくキャリアが同時に複数ある場合、予めに定義されたＣＳＩ報告タイプ（Ｒｅｐｏｒｔｉｎｇ Ｔｙｐｅ）優先レベルに基づいて、１つ高いＣＳＩ Ｒｅｐｏｒｔｉｎｇ Ｔｙｐｅ優先レベルのキャリアのＣＳＩを選択して報告する。ここで、最高優先レベルＲｅｐｏｒｔｉｎｇ Ｔｙｐｅｓはｔｙｐｅ ３、５、６及び２Ａであり、その後はｔｙｐｅ ２、２b、２ｃ及び４であり、最低優先レベルＲｅｐｏｒｔｉｎｇ Ｔｙｐｅｓはｔｙｐｅ １及び１Ａである。各種のＣＳＩ ｒｅｐｏｒｔｉｎｇ ｔｙｐｅの異なる報告モード（Ｒｅｐｏｒｔｉｎｇ Ｍｏｄｅ）における、対応するＣＳＩ報告コンテンツ及びビットは、表１に示すように、ＵＥの各活性化キャリアが１つのアップリンクサブフレームにおいて、現在設定した報告タイプ及び具体的な状態のみに基づいて、１種のｒｅｐｏｒｔｉｎｇ ｔｙｐｅを報告する。複数のキャリアが同時に同一のＲｅｐｏｒｔｉｎｇ Ｔｙｐｅ優先レベルを有すれば、さらにキャリア番号に基づいて、番号が最小であるキャリアのＣＳＩを選択して報告する。
【００１１】
【表１】
0005992102.tif 000002
【００１２】
表１において、bｉｔｓ/ＢＰは、各帯域幅部分（Ｂａｎｄｗｉｄｔｈ Ｐａｒｔ）の報告ビット数を示す。ＣＱＩ/ＰＭＩは、広帯域（Wｉｄｅbａｎｄ）ＣＱＩ/ＰＭＩ及びサブバンド（Ｓｕb-bａｎｄ）ＣＱＩ/ＰＭＩに分けられる。Ａｎｔｅｎｎａ Ｐｏｒｔｓは、アンテナポートである。Ｌａｙｅｒは伝送層である。Ｓｐａｔｉａｌ ｍｕｌｔｉｐｌｅｘｉｎｇは空間多重化を示す。ＮＡは、対応する報告モードにおいて、当該報告タイプをサポートしないことを示す。Ｌは、サブバンドを選択するサブバンド識別子情報であり、最大２ビットである。
【発明の概要】
【発明が解決しようとする課題】
【００１３】
ＬＴＥ-Ａ Ｒｅｌ-１１ ＣＡシステムにおいて、ＵＣＩ伝送強化研究を行った。ＣＳＩ過度放棄によるｅＮＢのダウンリンクスケジューリングへの影響を防ぐため、ＰＵＣＣＨ ｆｏｒｍａｔ ３でマルチキャリアのＡＣＫ/ＮＡＣＫ及び１つのキャリアの周期ＣＳＩを同時に伝送することをサポートする。ＳＲがある場合、１ビットのＳＲとの同時伝送もサポートする。
【００１４】
本発明にかかる実施例は、ＵＣＩの伝送方法及び装置を提供して、ＡＣＫ/ＮＡＣＫ及びＣＳＩの具体的な伝送ビットを正確に確定できないため、最大搬送ビット数を超えない場合、ＡＣＫ/ＮＡＣＫ及びＣＳＩを同時に伝送することを確保できない問題を解決できるようになる。
【課題を解決するための手段】
【００１５】
上述の目的を達成するため、本発明に係る実施例のアップリンク制御情報（ＵＣＩ）の伝送方法は、端末装置が、肯定応答ＡＣＫ/否定応答ＮＡＣＫの、現在サブフレームにおける最小フィードバックビット数Ｂｍｉｎ及び/または最大フィードバックビット数Ｂｍａｘを確定するステップと、前記端末装置が、１つのダウンリンクキャリアを選択し、前記ダウンリンクキャリアのチャネル状態情報ＣＳＩの報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断するステップと、前記端末装置の判断結果がＣ＞Ａ-Ｂｍｉｎである場合、前記端末装置が、ＢｍａｘビットのＡＣＫ/ＮＡＣＫフィードバック情報を生成し、現在サブフレームにおける対応のチャネル・リソースにおいて、生成した前記ＡＣＫ/ＮＡＣＫフィードバック情報を伝送するステップと、前記端末装置の判断結果がＣ≦Ａ-Ｂｍａｘである場合、前記端末装置が、ＢｍａｘビットのＡＣＫ/ＮＡＣＫフィードバック情報と、ＣビットのＣＳＩフィードバック情報とを生成し、現在サブフレームにおける対応のチャネル・リソースにおいて、生成した前記ＡＣＫ/ＮＡＣＫフィードバック情報と、前記ＣＳＩフィードバック情報とを同時に伝送するステップ、前記端末装置の判断結果が他の結果である場合、前記端末装置は、ＣビットのＣＳＩフィードバック情報を生成し、全部または一部のマルチコード名伝送のダウンリンクキャリアのＡＣＫ/ＮＡＣＫフィードバック情報に対し空間合併を行い、現在サブフレームにおける対応のチャネル・リソースにおいて、生成した空間合併後のＡＣＫ/ＮＡＣＫフィードバック情報と、前記ＣＳＩフィードバック情報とを同時に伝送するステップとを備える。ここで、前記空間合併後のＡＣＫ/ＮＡＣＫフィードバック情報のビット数は、Ａ-Ｃの値を超えない。
【００１６】
また、本発明に係る実施例の端末装置は、
ＡＣＫ/ ＮＡＣＫの、現在サブフレームにおける最小フィードバックビット数Ｂｍｉｎ及び/または最大フィードバックビット数Ｂｍａｘを確定する確定モジュールと、１つのダウンリンクキャリアを選択し、前記ダウンリンクキャリアのＣＳＩ報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断する判断モジュールと、
前記判断モジュールの判断結果がＣ＞Ａ-Ｂｍｉｎである場合、ＢｍａｘビットのＡＣＫ/ＮＡＣＫフィードバック情報を生成し、現在サブフレームにおける対応のチャネル・リソースにおいて、生成した前記ＡＣＫ/ＮＡＣＫフィードバック情報を伝送し、
前記判断モジュールの判断結果がＣ≦Ａ-Ｂｍａｘである場合、ＢｍａｘビットのＡＣＫ/ＮＡＣＫフィードバック情報と、ＣビットのＣＳＩフィードバック情報とを生成し、現在サブフレームにおける対応のチャネル・リソースにおいて、生成した前記ＡＣＫ/ＮＡＣＫフィードバック情報と、前記ＣＳＩフィードバック情報とを同時に伝送し、
前記判断モジュールの判断結果が他の結果である場合、ＣビットのＣＳＩフィードバック情報を生成し、全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した空間合併後のＡＣＫ/ＮＡＣＫフィードバック情報と、前記ＣＳＩフィードバック情報とを同時に伝送する処理モジュールとを備える。ここで、前記空間合併後のＡＣＫ/ＮＡＣＫフィードバック情報のビット数は、Ａ-Ｃの値を超えない。
【００１７】
また、本発明に係る実施例のアップリンク制御情報（ＵＣＩ）の伝送方法は、基地局が、端末装置によりフィードバックしたＡＣＫ/ＮＡＣＫの、現在サブフレームにおける最小フィードバックビット数Ｂｍｉｎ及び/または最大フィードバックビット数Ｂｍａｘを確定するステップと、前記基地局が、１つのダウンリンクキャリアを選択し、前記ダウンリンクキャリアのＣＳＩ報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断するステップと、前記基地局の判断結果がＣ＞Ａ-Ｂｍｉｎである場合、前記基地局が、現在サブフレームにおいて前記端末装置により伝送するＢｍａｘビットのＡＣＫ/ＮＡＣＫフィードバック情報を確定し、現在サブフレームにおける対応のチャネル・リソースにおいて、前記確定したフィードバック情報ビット数に基づいて、前記端末装置により伝送したＡＣＫ/ＮＡＣＫフィードバック情報を受信するステップと、前記基地局の判断結果がＣ≦Ａ-Ｂｍａｘである場合、前記基地局が、現在サブフレームにおいて前記端末装置により伝送するＢｍａｘビットのＡＣＫ/ＮＡＣＫフィードバック情報と、ＣビットのＣＳＩフィードバック情報とを確定し、現在サブフレームにおける対応のチャネル・リソースにおいて、前記確定したフィードバック情報ビット数に基づいて、前記端末装置により伝送したＡＣＫ/ＮＡＣＫフィードバック情報と、ＣＳＩフィードバック情報とを同時に受信するステップと、前記基地局の判断結果が他の結果である場合、前記基地局が、現在サブフレームにおいて前記端末装置により伝送するＣビットのＣＳＩフィードバック情報を確定し、現在サブフレームにおいて前記端末装置により伝送するＡＣＫ/ＮＡＣＫフィードバック情報のビット数が、全部または一部のマルチコード名伝送のダウンリンクキャリアのＡＣＫ/ＮＡＣＫフィードバック情報を空間合併した後のビット数であると確定し、現在サブフレームにおける対応のチャネル・リソースにおいて、前記確定したフィードバック情報ビット数に基づいて、前記端末装置により伝送した空間合併後のＡＣＫ/ＮＡＣＫフィードバック情報と、前記ＣＳＩフィードバック情報とを同時に受信するステップとを備える。ここで、前記空間合併後のＡＣＫ/ＮＡＣＫフィードバック情報のビット数は、Ａ-Ｃの値を超えない。
【００１８】
また、本発明に係る実施例の基地局は、端末装置によりフィードバックしたＡＣＫ/ＮＡＣＫの、現在サブフレームにおける最小フィードバックビット数Ｂｍｉｎ及び/または最大フィードバックビット数Ｂｍａｘを確定する確定モジュールと、１つのダウンリンクキャリアを選択し、前記ダウンリンクキャリアのＣＳＩ報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断する判断モジュールと、前記判断モジュールの判断結果がＣ＞Ａ-Ｂｍｉｎである場合、現在サブフレームにおいて前記端末装置により伝送するＢｍａｘビットのＡＣＫ/ＮＡＣＫフィードバック情報を確定し、現在サブフレームにおける対応のチャネル・リソースにおいて、前記確定したフィードバック情報ビット数に基づいて、前記端末装置により伝送したＡＣＫ/ＮＡＣＫフィードバック情報を受信し、前記判断モジュールの判断結果がＣ≦Ａ-Ｂｍａｘである場合、現在サブフレームにおいて前記端末装置により伝送するＢｍａｘビットのＡＣＫ/ＮＡＣＫフィードバック情報と、ＣビットのＣＳＩフィードバック情報とを確定し、現在サブフレームにおける対応のチャネル・リソースにおいて、前記確定したフィードバック情報ビット数に基づいて、前記端末装置により伝送したＡＣＫ/ＮＡＣＫフィードバック情報と、ＣＳＩフィードバック情報とを同時に受信し、前記判断モジュールの判断結果が他の結果である場合、現在サブフレームにおいて前記端末装置により伝送するＣビットのＣＳＩフィードバック情報を確定し、現在サブフレームにおいて前記端末装置により伝送するＡＣＫ/ＮＡＣＫフィードバック情報のビット数が、全部または一部のマルチコード名伝送のダウンリンクキャリアのＡＣＫ/ＮＡＣＫフィードバック情報を空間合併した後のビット数であると確定し、現在サブフレームにおける対応のチャネル・リソースにおいて、前記確定したフィードバック情報ビット数に基づいて、前記端末装置により伝送した空間合併後のＡＣＫ/ＮＡＣＫフィードバック情報と、前記ＣＳＩフィードバック情報とを同時に受信しする処理モジュールとを備える。
【発明の効果】
【００１９】
従来の技術と比べ、本発明に係る実施例の技術案は下記のメリットを有する。
本発明に係る実施例の技術案によれば、現在サブフレームに対応するチャネル・リソースにおいて、ＡＣＫ/ＮＡＣＫ及び周期ＣＳＩを同時に伝送する方法を実施でき、現在サブフレームにおけるＵＣＩが同時に伝送する閾値ビット数と、ＡＣＫ/ＮＡＣＫの現在サブフレームにおける最大及び最小フィードバックビット数とに基づいて、第１種ＵＣＩと同時に伝送する第２種ＵＣＩの伝送ビット数を動的に確定することにより、同時に伝送するＵＣＩビットの和が現在サブフレームにおけるＵＣＩが同時に伝送する閾値ビット数を超えないことを確保し、さらに、ＡＣＫ/ＮＡＣＫ合併及びＣＳＩ放棄をなるべく防ぎ、アップリンク情報伝送の正確性及び整合性を最大限に確保する。
【図面の簡単な説明】
【００２０】
【図１】図１は従来のＣＡ技術の実施方法を示す図である。
【図２】図２は、本発明に係る実施例のＵＣＩの伝送方法のフローチャート図である。
【図３】図３は本発明に係る実施例１のＵＣＩの伝送方法のフローチャート図である。
【図４】図４は本発明に係る実施例２のＵＣＩの伝送方法のフローチャート図である。
【図５】図５は本発明に係る実施例３のＵＣＩの伝送方法のフローチャート図である。
【図６】図６は本発明に係る実施例４のＵＣＩの伝送方法のフローチャート図である。
【図７】図７は本発明に係る実施例の端末装置の構造図である。
【図８】図８は本発明に係る実施例の基地局の構造図である。
【発明を実施するための形態】
【００２１】
本発明の目的、技術案及びメリットを明確にするため、以下、図面を参照しながら本発明を詳しく説明する。
【００２２】
従来、ＰＵＣＣＨ ｆｏｒｍａｔ３の最大搬送ビット数は２２であり、図１に示すように、１つのキャリアのＣＳＩの最大ビット数は１１であることがわかる。ＡＣＫ/ＮＡＣＫと、周期ＣＳＩとを同時に伝送する場合、ＡＣＫ/ＮＡＣＫ及びＣＳＩの具体的な伝送ビットをいかなる確定し、ｆｏｒｍａｔ３の最大搬送ビット数を超えないようにするのは、解決しようとする課題であり、従来は、明確な解決案は案出できていない。
【００２３】
ＬＴＥ-Ａ Ｒｅｌ-１１ ＣＡシステムにおいて、ＰＵＣＣＨ ｆｏｒｍａｔ ３をサポートするＵＥは、ＰＵＣＣＨ ｆｏｒｍａｔ ３で複数のアグリゲーションキャリアのＡＣＫ/ＮＡＣＫ情報及び１つのキャリアの周期ＣＳＩを同時伝送することをサポートするが、同時伝送する際のＡＣＫ/ＮＡＣＫ及びＣＳＩの搬送ビット分割方法はまだ明確になっていない。
【００２４】
このような欠陥を解決するために、本発明に係る実施例はＵＣＩの伝送方法を提供する。ＰＵＣＣＨ ｆｏｒｍａｔ３伝送案且つマルチキャリアのＡＣＫ/ＮＡＣＫ及び周期ＣＳＩのＰＵＣＣＨにおける同時伝送をサポートするＵＥは、現在サブフレームにおけるＵＣＩが同時に伝送する閾値ビット数Ａと、第１種ＵＣＩが現在サブフレームにおける伝送ビット数とに基づいて、第１種ＵＣＩと同時に伝送する第２種ＵＣＩの伝送ビット数を動的に確定することができる。即ち、現在サブフレームにおいて同時に伝送するＡＣＫ/ＮＡＣＫの伝送ビット数及びＣＳＩの伝送ビット数を動的に確定でき、伝送ビット数の和がＡを超えない要件を満たすようになる。
【００２５】
図２は本発明に係る実施例のＵＣＩの伝送方法のフローチャート図である。当該方法は、ステップＳ２０１と、ステップＳ２０２と、ステップＳ２０３と、ステップＳ２０４と、ステップＳ２０５とを備える。
ステップＳ２０１において、端末装置は、ＡＣＫ/ ＮＡＣＫの、現在サブフレームにおける最小フィードバックビット数Ｂｍｉｎ及び/または最大フィードバックビット数Ｂｍａｘを確定する。
【００２６】
実用の場合、本ステップは具体的に以下のように行う。
前記端末装置は、設定キャリア数Ｎと、各キャリアｉ上の、現在サブフレームにおいてＡＣＫ/ＮＡＣＫをフィードバックすべきダウンリンクサブフレーム数Ｍｉとに基づいて、数１により、前記Ｂｍｉｎを確定する。
【００２７】
0005992102.tif 000003
【００２８】
前記端末装置は、設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、数２により、前記Ｂｍａｘを確定する。
【００２９】
0005992102.tif 000004
【００３０】
ここで、Ｃｉの値は、以下の規則に従い、
シングルコード名伝送のキャリアの場合、Ｃｉは１であり、マルチコード名伝送のキャリアの場合、Ｃｉは２であり、或いは、
【００３１】
シングルコード名伝送、またはマルチコード名伝送であり、且つ空間合併を利用するキャリアの場合、Ｃｉは１であり、マルチコード名伝送であり、且つ空間合併を利用しないキャリアの場合、Ｃｉは２であり、
【００３２】
Ｍｉは、キャリアｉ上の、現在サブフレームにおいてＡＣＫ/ＮＡＣＫをフィードバックすべきダウンリンクサブフレーム数を示し、その値は以下の規則に従い、周波数分割複信（ＦＤＤ）システムの場合、Ｍｉは１であり、時分割複信（ＴＤＤ）システムの場合、異なるアグリゲーションキャリアに対応するＭｉの値は、同一であるか、異なる。
【００３３】
ステップＳ２０２において、前記端末装置は、１つのダウンリンクキャリアを選択し、前記ダウンリンクキャリアのチャネル状態情報ＣＳＩの報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断する。
【００３４】
前記端末装置の判断結果がＣ＞Ａ-Ｂｍｉｎである場合、ステップＳ２０３を執行する。
【００３５】
前記端末装置の判断結果がＣ≦Ａ-Ｂｍａｘである場合、ステップＳ２０４を執行する。
【００３６】
前記端末装置の判断結果が他の結果である場合、ステップＳ２０５を執行する。
【００３７】
ここで、前記閾値ビット数Ａは、既定値であるか、上位層シグナリングまたは物理ダウンリンク制御チャネル（ＰＤＣＣＨ）シグナリングにより通知した値である。ここで、前記Ａは、正の整数であり、且つ、Ａは、現在サブフレームにおける、ＡＣＫ/ＮＡＣＫフィードバック情報及びＣＳＩフィードバック情報を同時に伝送するアップリンク伝送案の最大搬送ビット数より大きくないか、Ａは、前記アップリンク伝送方案の最大搬送ビット数とＳＲビット数の差である。
【００３８】
ここで、説明すべくのは、Ｃのコンテンツによって、当該ステップは具体的に２つの場合に分けて説明する。
【００３９】
〈場合１〉
前記端末装置は、１つのダウンリンクキャリアを選択し、且つ、前記ダウンリンクキャリアのＣＳＩ報告タイプの実際フィードバックビット数Ｃｒｅａｌと、Ａや、Ｂｍｉｎ及び/またはＢｍａｘとの関係を判断する。即ち、この際、Ｃは、前記ダウンリンクキャリアのＣＳＩ報告タイプの実際フィードバックビット数Ｃｒｅａｌである。
【００４０】
〈場合２〉
前記端末装置は、１つのダウンリンクキャリアを選択し、且つ、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断する。即ち、この際、Ｃは、前記ダウンリンクキャリアのＣＳＩ報告タイプに対応する最大フィードバックビット数Ｃｔyｐｅ_ｍａｘである。
【００４１】
ここで、前記ＣＳＩ報告タイプに対応する最大フィードバックビット数Ｃｔyｐｅ_ｍａｘは、以下で説明する。
【００４２】
ＲＩ値をベースにして報告するＣＳＩ報告タイプの場合、前記ＣＳＩ報告タイプに対応する最大フィードバックビット数Ｃｔｙｐｅ_ｍａｘは、当該ＣＳＩ報告タイプにおける、現在設定状態の異なるＲＩ値に対応するフィードバックビット数の最大値である。具体的な処理シナリオにおいて、現在設定は、具体的にＣＳＩフィードバックモード及び/またはアンテナポート設定等情報を含む。
【００４３】
他のＣＳＩ報告タイプの場合、前記ＣＳＩ報告タイプに対応する最大フィードバックビット数Ｃｔyｐｅ_ｍａｘは、実際フィードバックビット数である。
【００４４】
さらに説明すべくのは、前記Ａ値は、事前に定義（シグナリング通知がいらない）した値であるか、または上位層シグナリングや、ＰＤＣＣＨシグナリングにより通知された値である。当該値はＰＵＣＣＨ ｆｏｒｍａｔの最大搬送ビット数、またはＰＵＣＣＨ ｆｏｒｍａｔの最大搬送ビット数とＳＲビット数（１ビット）の差を超えないいずれの正の整数である。
【００４５】
また、実用される場合、前記端末装置は下記の仕様でダウンリンクキャリアを選択する。
【００４６】
仕様１
前記端末装置は、ＣＳＩ報告タイプ優先レベルに基づいて、最高優先レベルＣＳＩ報告タイプを有するダウンリンクキャリアを１つ選択する。ここで、複数のダウンリンクキャリアが同時に最高優先レベルＣＳＩ報告タイプを有する場合、キャリア番号に基づいて、前記複数のキャリア中の最小キャリア番号を有するダウンリンクキャリアを選択する。
【００４７】
仕様２
前記端末装置は、直接にキャリア番号に基づいて、最小キャリア番号を有するダウンリンクキャリアを選択する。
【００４８】
仕様３
前記端末装置は、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定する。ＣＳＩ報告タイプ優先レベルに基づいて、前記ダウンリンクキャリア集合から、最高優先レベルＣＳＩ報告タイプを有するダウンリンクキャリアを１つ選択する。ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択する。
【００４９】
仕様４
前記端末装置は、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定する。且つ、直接にキャリア番号に基づいて、前記ダウンリンクキャリア集合における最小キャリア番号を有するダウンリンクキャリアを１つ選択する。
【００５０】
仕様５
前記端末装置は、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定し、ＣＳＩ報告タイプ優先レベルに基づいて、前記ダウンリンクキャリア集合から、最高優先レベルＣＳＩ報告タイプを有するダウンリンクキャリアを１つ選択する。ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択する。
【００５１】
仕様６
前記端末装置は、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定し、且つ、直接にキャリア番号に基づいて、前記ダウンリンクキャリア集合における最小キャリア番号を有するダウンリンクキャリアを選択する。
【００５２】
具体的な処理シナリオにおいて、上述のどちらの仕様を採用するのかは、実のニーズに応じて設定する。このような変動は本発明の保護範囲に影響を及ぼさない。
【００５３】
さらに説明すべくのは、上述仕様３、仕様４、仕様５及び仕様６において、前記端末装置が、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定する場合、前記端末装置により確定したダウンリンクキャリア集合が空集合であれば、前記端末装置は、Ｃ＞Ａ-Ｂｍｉｎであると直接に判断する。即ち、ステップＳ２０３を執行する。
【００５４】
ステップＳ２０３において、前記端末装置は、ＢｍａｘビットのＡＣＫ/ＮＡＣＫフィードバック情報を生成し、現在サブフレームにおける対応のチャネル・リソースにおいて、生成した前記ＡＣＫ/ＮＡＣＫフィードバック情報を伝送する。
【００５５】
ステップＳ２０２の場合１に応じる当該ステップの具体的な処理は以下通りである。
【００５６】
前記端末装置は、ＢｍａｘビットのＡＣＫ/ＮＡＣＫフィードバック情報を生成し、現在サブフレームにおける対応のチャネル・リソースにおいて、生成した前記ＡＣＫ/ＮＡＣＫフィードバック情報を伝送する。
【００５７】
ステップＳ２０２の場合２に応じる当該ステップの具体的な処理は以下通りである。
【００５８】
前記端末装置は、ＢｍａｘビットのＡＣＫ/ＮＡＣＫフィードバック情報を生成し、現在サブフレームにおける対応のチャネル・リソースにおいて、生成した前記ＢｍａｘビットのＡＣＫ/ＮＡＣＫフィードバック情報を伝送する。
【００５９】
ステップＳ２０４において、前記端末装置は、ＢｍａｘビットのＡＣＫ/ＮＡＣＫフィードバック情報と、対応のビットのＣＳＩフィードバック情報とを生成して、現在サブフレームにおける対応のチャネル・リソースにおいて、生成した前記ＡＣＫ/ＮＡＣＫフィードバック情報と、前記ＣＳＩフィードバック情報とを同時に伝送する。
【００６０】
ステップＳ２０２の場合１に応じる当該ステップの具体的な処理は以下通りである。
【００６１】
前記端末装置は、ＢｍａｘビットのＡＣＫ/ＮＡＣＫフィードバック情報と、ＣｒｅａｌビットのＣＳＩフィードバック情報とを生成して、現在サブフレームにおける対応のチャネル・リソースにおいて、生成した前記ＡＣＫ/ＮＡＣＫフィードバック情報と、前記ＣＳＩフィードバック情報とを同時に伝送する。
【００６２】
ステップＳ２０２の場合２に応じる当該ステップの具体的な処理は以下通りである。
【００６３】
前記端末装置は、ＢｍａｘビットのＡＣＫ/ＮＡＣＫフィードバック情報と、Ｃｔyｐｅ_ｍａｘビットのＣＳＩフィードバック情報とを生成して、現在サブフレームにおける対応のチャネル・リソースにおいて、生成した前記ＢｍａｘビットのＡＣＫ/ＮＡＣＫフィードバック情報と、前記Ｃｔyｐｅ_ｍａｘビットのＣＳＩフィードバック情報とを伝送する。
【００６４】
ここで、Ｃｔyｐｅ_ｍａｘビットのＣＳＩフィードバック情報の生成は、以下で詳細に説明する。
【００６５】
前記端末装置は、ＣｒｅａｌビットのＣＳＩフィードバック情報を生成する。
【００６６】
ＣｒｅａｌがＣｔyｐｅ_ｍａｘより小さい場合、前記端末装置は、前記ＣｒｅａｌビットのＣＳＩフィードバック情報後に、Ｃｔyｐｅ_ｍａｘ-Ｃｒｅａｌビットのプレースホルダーを補充し、プレースホルダー補充後のＣＳＩフィードバック情報と、前記Ｃｔyｐｅ_ｍａｘビットのＣＳＩフィードバック情報として確定する。実用の場合、前記プレースホルダーは、端末装置及び基地局により事前に設定した固定値であり、０また１であるこｔができ、好ましくは、事前に０に設定する。
【００６７】
ＣｒｅａｌがＣｔyｐｅ_ｍａｘより小さくない場合、前記端末装置は、実際に生成したＣｒｅａｌビットのＣＳＩフィードバック情報と、前記Ｃｔyｐｅ_ｍａｘビットのＣＳＩフィードバック情報に確定する。
【００６８】
ステップＳ２０５において、前記端末装置は、対応するビットのＣＳＩフィードバック情報を生成し、全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した、空間合併後のＡＣＫ/ＮＡＣＫフィードバック情報と、前記ＣＳＩフィードバック情報とを、同時に伝送する。
【００６９】
ステップＳ２０２の場合１に応じる当該ステップの具体的な処理は以下通りである。
前記端末装置は、ＣｒｅａｌビットのＣＳＩフィードバック情報を生成する。全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した空間合併後のＡＣＫ/ＮＡＣＫフィードバック情報と、前記ＣＳＩフィードバック情報とを同時に伝送する。ここで、前記空間合併後のＡＣＫ/ＮＡＣＫフィードバック情報のビット数は、Ａ-Ｃｒｅａｌの値を超えない。
【００７０】
ステップＳ２０２の場合２に応じる当該ステップの具体的な処理は以下通りである。
前記端末装置は、Ｃｔyｐｅ_ｍａｘビットのＣＳＩフィードバック情報を生成し、全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した空間合併後のＡＣＫ/ＮＡＣＫフィードバック情報と、前記Ｃｔyｐｅ_ｍａｘビットのＣＳＩフィードバック情報とを、同時に伝送する。ここで、前記空間合併後のＡＣＫ/ＮＡＣＫフィードバック情報のビット数は、Ａ-Ｃｔyｐｅ_ｍａｘの値を超えない。
【００７１】
ここで、Ｃｔyｐｅ_ｍａｘビットのＣＳＩフィードバック情報の生成は以下で詳細に説明する。
【００７２】
前記端末装置は、ＣｒｅａｌビットのＣＳＩフィードバック情報を生成する。
【００７３】
ＣｒｅａｌがＣｔyｐｅ_ｍａｘより小さい場合、前記端末装置は、前記ＣｒｅａｌビットのＣＳＩフィードバック情報後に、Ｃｔyｐｅ_ｍａｘ-Ｃｒｅａｌビットのプレースホルダーを補充し、プレースホルダー補充後のＣＳＩフィードバック情報と、前記Ｃｔyｐｅ_ｍａｘビットのＣＳＩフィードバック情報として確定する。実用の場合、前記プレースホルダーは、端末装置及び基地局により事前に設定した固定値であり、０また１であるこｔができ、好ましくは、事前に０に設定する。
【００７４】
ＣｒｅａｌがＣｔyｐｅ_ｍａｘより小さくない場合、前記端末装置は、実際に生成したＣｒｅａｌビットのＣＳＩフィードバック情報と、前記Ｃｔyｐｅ_ｍａｘビットのＣＳＩフィードバック情報に確定する。
【００７５】
さらに説明すべくのは、前記現在サブフレームが、スケジューリング・リクエスト（ＳＲ）伝送サブフレームである場合、前記端末装置は、現在サブフレームにおける対応のチャネル・リソースにおいて、生成した前記ＡＣＫ/ＮＡＣＫフィードバック情報を伝送するか、生成したＡＣＫ/ＮＡＣＫフィードバック情報と、前記ＣＳＩフィードバック情報とを同時に伝送するか、または生成した、空間合併後のＡＣＫ/ＮＡＣＫフィードバック情報と、前記ＣＳＩフィードバック情報とを、同時に伝送する。具体的に、以下のようである。
【００７６】
前記端末装置は、現在サブフレームにおける対応のチャネル・リソースにおいて、生成した前記ＡＣＫ/ＮＡＣＫフィードバック情報と、１ビットＳＲとを伝送するか、または、生成したＡＣＫ/ＮＡＣＫフィードバック情報と、前記ＣＳＩフィードバック情報と、１ビットＳＲとを同時に伝送するか、または、生成した、空間合併後のＡＣＫ/ＮＡＣＫフィードバック情報と、前記ＣＳＩフィードバック情報と、１ビットＳＲとを同時に伝送する。
【００７７】
また、基地局側においても、前述テップＳ２０１及びステップＳ２０２と類似する判断処理を行い、且つ判断結果に基づいて、ＵＣＩの受信仕様及びビット数を確定する。具体的な処理仕様は、端末装置側と類似するが、判断結果に基づいて対応のＵＣＩを生成せず、端末装置が現在サブフレームにおいてＵＣＩを報告する形式及びビット数を直接に確定し、対応の確定結果に基づいて、ＵＣＩを受信する。具体的な処理過程は上記の説明と類似するため、その以上説明しない。
【００７８】
従来技術と比べ、本発明に係る実施例の技術案は以下のメリットを有する。
本発明に係る実施例の技術案を実施することにより、現在サブフレームに対応するチャネル・リソースにおいて、同時伝送ＡＣＫ/ＮＡＣＫ及び周期ＣＳＩの同時伝送方法を実現できる。現在サブフレームにおけるＵＣＩが同時に伝送する閾値ビット数と、ＡＣＫ/ＮＡＣＫの現在サブフレームにおける最大及び最小フィードバックビット数とに基づいて、第１種ＵＣＩと同時に伝送する第２種ＵＣＩの伝送ビット数を動的に確定し、同時に伝送するＵＣＩビットの和が、現在サブフレームにおけるＵＣＩが同時に伝送する閾値ビット数を超えないことを確保できる。ＡＣＫ/ＮＡＣＫ合併とＣＳＩ放棄をなくべく防ぎ、アップリンク情報伝送の正確性及び整合性を最大限に確保する。
【００７９】
以下、実用のシナリオと結合して、本発明に係る実施例の技術案を説明する。
【００８０】
実用のシナリオにおいて、処理過程を簡単かするため、前述のステップＳ２０１のパラメータ確定と類似する過程において、すべてのパラメータを一回で確定しなくてもよく、パラメータを確定する順番の違いに応じて、処理過程もそれぞれとなる。
【００８１】
さらに、ダウンリンクキャリアのＣＳＩ報告タイプに対応する、判断用のフィードバックビット数のコンテンツの違いに応じて、処理過程もそれぞれとなる。以下で詳細に説明する。
【００８２】
実施例１
ＡとＢｍｉｎに基づいて最初の判断を行い、判断用のフィードバックビット数は、ＣＳＩ報告タイプの実際フィードバックビット数Ｃｒｅａｌである。
【００８３】
図３は、本発明に係る実施例１のＵＣＩの伝送方法を示す図であり、以下のステップを備える。
【００８４】
ステップＳ３０１において、ＵＥは、ＡＣＫ/ＮＡＣＫの、現在サブフレームにおける最小フィードバックビット数Ｂｍｉｎを確定する。
【００８５】
ここで、Ｂｍｉｎの計算数式は、前述のステップＳ２０１と同じであり、この以上説明しない。
【００８６】
ステップＳ３０２において、ＵＥは、ＣＳＩ報告タイプ優先レベル及び/またはキャリア番号に基づいて、１つのダウンリンクキャリアを選択し、当該ダウンリンクキャリアのＣＳＩ報告タイプに対応する、判断用のフィードバックビット数がＡ-Ｂｍｉｎを超えるかを判断する。即ち、Ｃｒｅａｌ＞Ａ-Ｂｍｉｎが成り立つかを判断する。
【００８７】
ここで、Ａは、現在サブフレームにおけるＵＣの同時伝送の閾値ビット数である。
【００８８】
当該ステップが終了後、判断結果に基づいて、現在サブフレームにおいて伝送するＡＣＫ/ＮＡＣＫフィードバック情報、または、ＡＣＫ/ＮＡＣＫおよびＣＳＩフィードバック情報を確定し、現在サブフレームにおける対応のチャネル・リソースにおいて、前記フィードバック情報を伝送する。
【００８９】
判断結果が「ＹＥＳ」である場合、ＵＥは、現在サブフレームにおいてＣＳＩを伝送しないと確定し、且つステップＳ３０３を執行する。
【００９０】
判断結果が「ＮＯ」である場合、ＵＥは、ステップＳ３０５を執行する。
【００９１】
ステップＳ３０３において、ＵＥは、設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、ＢｍａｘビットＡＣＫ/ＮＡＣＫフィードバック情報を生成する。
【００９２】
ここで、Ｂｍａｘの計算数式は、前述のステップＳ２０１と同じであり、この以上説明しない。
【００９３】
ステップＳ３０４において、ＵＥは、ＡＣＫ/ＮＡＣＫの対応のチャネル・リソースにおいて、前記ＢｍａｘビットのＡＣＫ/ＮＡＣＫフィードバック情報を伝送する。
【００９４】
ステップＳ３０５において、ＵＥは、選択したダウンリンクキャリアのＣｒｅａｌビットのＣＳＩフィードバック情報を生成し、ＡＣＫ/ＮＡＣＫの、現在サブフレームにおける最大フィードバックビット数Ｂｍａｘを確定する。
【００９５】
ステップＳ３０６において、ＵＥは、前記ダウンリンクキャリアの前記ＣＳＩフィードバックビット数ＣｒｅａｌがＡ-Ｂｍａｘを超えるかを判断する。
【００９６】
判断結果が「ＹＥＳ」である場合、ステップＳ３０７を執行する。
【００９７】
判断結果が「ＮＯ」である場合、ステップＳ３０９を執行する。
【００９８】
ステップＳ３０７において、ＵＥは、全部または一部のマルチコード名伝送のダウンリンクキャリアのＡＣＫ/ＮＡＣＫフィードバック情報に対して、空間合併を行い、空間合併後のＡＣＫ/ＮＡＣＫフィードバックビット数がＡ-Ｃｒｅａｌを超えないようにする。
【００９９】
ステップＳ３０８において、ＵＥは、ＡＣＫ/ＮＡＣＫまたはＣＳＩの対応のチャネル・リソースにおいて、前記空間合併後のＡＣＫ/ＮＡＣＫフィードバック情報と、前記ＣｒｅａｌビットのＣＳＩフィードバック情報とを同時に伝送する。
【０１００】
ステップＳ３０９において、ＵＥは、設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、ＢｍａｘビットのＡＣＫ/ＮＡＣＫフィードバック情報を生成する。
【０１０１】
ここで、Ｂｍａｘの計算数式は、前述のステップＳ２０１と同じであり、この以上説明しない。
【０１０２】
ステップＳ３１０において、ＵＥは、ＡＣＫ/ＮＡＣＫまたはＣＳＩの対応のチャネル・リソースにおいて、ＢｍａｘビットのＡＣＫ/ＮＡＣＫフィードバック情報と、ＣｒｅａｌビットのＣＳＩフィードバック情報とを同時に伝送する。
【０１０３】
実施例２
ＡとＢｍｉｎに基づいて最初の判断を行う。判定用のフィードバックビット数は、ＣＳＩ報告タイプの最大フィードバックビット数Ｃｔyｐｅ_ｍａｘである。
【０１０４】
図４は、本発明に係る実施例２のＵＣＩの伝送方法を示す図であり、以下のステップを備える。
【０１０５】
ステップＳ４０１において、ＵＥは、ＡＣＫ/ＮＡＣＫの、現在サブフレームにおける最小フィードバックビット数Ｂｍｉｎを確定する。
【０１０６】
ここで、Ｂｍｉｎの計算数式は、前述のステップＳ２０１と同じであり、この以上説明しない。
【０１０７】
ステップＳ４０２において、ＵＥは、ＣＳＩ報告タイプ優先レベル及び/またはキャリア番号に基づいて、１つのダウンリンクキャリアを選択し、当該ダウンリンクキャリアのＣＳＩ報告タイプに対応する、判断用のフィードバックビット数がＡ-Ｂｍｉｎを超えるかを判断する。即ち、Ｃｔyｐｅ_ｍａｘ＞Ａ-Ｂｍｉｎが成立するかを判断する。
【０１０８】
ここで、Ａは、現在サブフレームにおけるＵＣの同時伝送の閾値ビット数である。
【０１０９】
当該ステップが終了後、判断結果に基づいて、現在サブフレームにおいて伝送するＡＣＫ/ＮＡＣＫフィードバック情報、または、ＡＣＫ/ＮＡＣＫおよびＣＳＩフィードバック情報を確定し、現在サブフレームにおける対応のチャネル・リソースにおいて、前記フィードバック情報を伝送する。
【０１１０】
判断結果が「ＹＥＳ」である場合、ＵＥは、現在サブフレームにおいてＣＳＩを伝送しないと確定し、ステップＳ４０３を執行する。
【０１１１】
判断結果が「ＮＯ」である場合、ＵＥは、ステップＳ４０５を執行する。
【０１１２】
ステップＳ４０３において、ＵＥは、設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、ＢｍａｘビットＡＣＫ/ＮＡＣＫフィードバック情報を生成する。
【０１１３】
ここで、Ｂｍａｘの計算数式は、前述のステップＳ２０１と同じであり、この以上説明しない。
【０１１４】
ステップＳ４０４において、ＵＥは、ＡＣＫ/ＮＡＣＫの対応のチャネル・リソースにおいて、前記ＢｍａｘビットのＡＣＫ/ＮＡＣＫフィードバック情報を伝送する。
【０１１５】
ステップＳ４０５において、ＵＥは、現在サブフレームにおいて伝送すべき前記選択したダウンリンクキャリアのＣＳＩの伝送ビット数がＣｔyｐｅ_ｍａｘであると確定し、選択したダウンリンクキャリアのＣｒｅａｌビットの実際ＳＩフィードバック情報を生成し、ＡＣＫ/ＮＡＣＫの、現在サブフレームにおける最大フィードバックビット数Ｂｍａｘを確定する。
【０１１６】
ステップＳ４０６において、ＵＥは、Ｃｒｅａｌ=Ｃｔyｐｅ_ｍａｘが成立するかを判断する。
【０１１７】
判断結果が「ＹＥＳ」である場合、ステップＳ４０７を執行する。
【０１１８】
判断結果が「ＮＯ」である場合、ステップＳ４１２を執行する。
【０１１９】
ステップＳ４０７、ＵＥは、前記ダウンリンクキャリアの前記ＣＳＩフィードバックビット数ＣｒｅａｌがＡ-Ｂｍａｘを超えるかを判断する。
【０１２０】
判断結果が「ＹＥＳ」である場合、ステップＳ４０８を執行する。
【０１２１】
判断結果が「ＮＯ」である場合、ステップＳ４１０を執行する。
【０１２２】
ステップＳ４０８において、ＵＥは、全部または一部のマルチコード名伝送のダウンリンクキャリアのＡＣＫ/ＮＡＣＫフィードバック情報に対して、空間合併を行い、空間合併後のＡＣＫ/ＮＡＣＫフィードバックビット数がＡ-Ｃｒｅａｌを超えないようにする。
【０１２３】
ステップＳ４０９において、ＵＥは、ＡＣＫ/ＮＡＣＫまたはＣＳＩの対応のチャネル・リソースにおいて、前記空間合併後のＡＣＫ/ＮＡＣＫフィードバック情報と、ＣｒｅａｌビットのＣＳＩフィードバック情報とを同時に伝送する。
【０１２４】
ステップＳ４１０において、ＵＥは、設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、ＢｍａｘビットのＡＣＫ/ＮＡＣＫフィードバック情報を生成する。
【０１２５】
ここで、Ｂｍａｘの計算数式は、前述のステップＳ２０１と同じであり、この以上説明しない。
【０１２６】
ステップＳ４１１において、ＵＥは、ＡＣＫ/ＮＡＣＫまたはＣＳＩの対応のチャネル・リソースにおいて、ＢｍａｘビットのＡＣＫ/ＮＡＣＫフィードバック情報と、ＣｒｅａｌビットのＣＳＩフィードバック情報とを同時に伝送する。
【０１２７】
ステップＳ４１２において、ＵＥは、生成したＣｒｅａｌビットの実際ＳＩフィードバックビット数後に、Ｃｔyｐｅ_ｍａｘ-Ｃｒｅａｌビットの０を補充し、０を補充後のＣｔyｐｅ_ｍａｘビットのＣＳＩフィードバック情報を、現在サブフレームにおいてＵＥにより伝送すべきＣＳＩフィードバック情報とする。
【０１２８】
ステップＳ４１３において、ＵＥは、前記ダウンリンクキャリアの前記ＣＳＩフィードバックビット数Ｃｔyｐｅ_ｍａｘがＡ-Ｂｍａｘを超えるかを判断する。
【０１２９】
判断結果が「ＹＥＳ」である場合、ステップＳ４１４を執行する。
【０１３０】
判断結果が「ＮＯ」である場合、ステップＳ４１６を執行する。
【０１３１】
ステップＳ４１４において、ＵＥは、全部または一部のマルチコード名伝送のダウンリンクキャリアのＡＣＫ/ＮＡＣＫフィードバック情報に対して、空間合併を行い、空間合併後のＡＣＫ/ＮＡＣＫフィードバックビット数がＡ-Ｃｔyｐｅ_ｍａｘを超えないようにする。
【０１３２】
ステップＳ４１５において、ＵＥは、ＡＣＫ/ＮＡＣＫまたはＣＳＩの対応のチャネル・リソースにおいて、前記空間合併後のＡＣＫ/ＮＡＣＫフィードバック情報と、Ｃｔyｐｅ_ｍａｘビットのＣＳＩフィードバック情報とを同時に伝送する。
【０１３３】
ステップＳ４１６において、ＵＥは、設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、ＢｍａｘビットのＡＣＫ/ＮＡＣＫフィードバック情報を生成する。
【０１３４】
ここで、Ｂｍａｘの計算数式は、前述のステップＳ２０１と同じであり、この以上説明しない。
【０１３５】
ステップＳ４１７において、ＵＥは、ＡＣＫ/ＮＡＣＫまたはＣＳＩの対応のチャネル・リソースにおいて、ＢｍａｘビットのＡＣＫ/ＮＡＣＫフィードバック情報と、Ｃｔyｐｅ_ｍａｘビットのＣＳＩフィードバック情報とを同時に伝送する。
【０１３６】
実施例３
ＡとＢｍａｘとに基づいて最初の判断を行い、判定用のフィードバックビット数は、ＣＳＩ報告タイプの実際フィードバックビット数Ｃｒｅａｌである。
【０１３７】
図５は、本発明に係る実施例１のＵＣＩの伝送方法を示す図であり、以下のステップを備える。
【０１３８】
ステップＳ５０１において、ＵＥは、ＡＣＫ/ＮＡＣＫの、現在サブフレームにおける最大フィードバックビット数Ｂｍａｘを確定する。
【０１３９】
ここで、Ｂｍａｘの計算数式は、前述のステップＳ２０１と同じであり、この以上説明しない。
【０１４０】
ステップＳ５０２において、ＵＥは、ＣＳＩ報告タイプ優先レベル及び/またはキャリア番号に基づいて、１つのダウンリンクキャリアを選択し、当該ダウンリンクキャリアのＣＳＩ報告タイプに対応する、判断用のフィードバックビット数がＡ-Ｂｍａｘを超えるかを判断する。即ち、Ｃｒｅａｌ＞Ａ-Ｂｍａｘが成立するかを判断する。
【０１４１】
ここで、Ａは、現在サブフレームにおけるＵＣの同時伝送の閾値ビット数である。
【０１４２】
当該ステップが終了後、判断結果に基づいて、現在サブフレームにおいて伝送するＡＣＫ/ＮＡＣＫフィードバック情報、または、ＡＣＫ/ＮＡＣＫおよびＣＳＩフィードバック情報を確定し、現在サブフレームにおける対応のチャネル・リソースにおいて、前記フィードバック情報を伝送する。
【０１４３】
判断結果が「ＮＯ」である場合、ＵＥは、ステップＳ５０３を執行する。
【０１４４】
判断結果が「ＹＥＳ」である場合、ＵＥはステップＳ５０５を執行する。
【０１４５】
ステップＳ５０３において、ＵＥは、選択したダウンリンクキャリアのＣｒｅａｌビットのＣＳＩフィードバック情報を生成し、設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、ＢｍａｘビットＡＣＫ/ＮＡＣＫフィードバック情報を生成する。
【０１４６】
ステップＳ５０４において、ＵＥは、ＡＣＫ/ＮＡＣＫまたはＣＳＩの対応のチャネル・リソースにおいて、ＢｍａｘビットのＡＣＫ/ＮＡＣＫフィードバック情報と、ＣｒｅａｌビットのＣＳＩフィードバック情報とを同時に伝送する。
【０１４７】
ステップＳ５０５において、ＵＥは、選択したダウンリンクキャリアのＣｒｅａｌビットのＣＳＩフィードバック情報を生成し、ＡＣＫ/ＮＡＣＫの、現在サブフレームにおける最小フィードバックビット数Ｂｍｉｎを確定する。
【０１４８】
ステップＳ５０６において、ＵＥは、前記ダウンリンクキャリアの前記ＣＳＩフィードバックビット数ＣｒｅａｌがＡ-Ｂｍｉｎを超えるかを判断する。
【０１４９】
判断結果が「ＹＥＳ」である場合、ＵＥは、現在サブフレームにおいてＣＳＩを伝送しないと確定し、ステップＳ５０７を執行する。
【０１５０】
判断結果が「ＮＯ」である場合、ステップＳ５０９を執行する。
【０１５１】
ステップＳ５０７において、ＵＥは、設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、ＢｍａｘビットＡＣＫ/ＮＡＣＫフィードバック情報を生成する。
【０１５２】
ここで、Ｂｍａｘの計算数式は、前述のステップＳ２０１と同じであり、この以上説明しない。
【０１５３】
ステップＳ５０８において、ＵＥは、ＡＣＫ/ＮＡＣＫの対応のチャネル・リソースにおいて、前記ＢｍａｘビットのＡＣＫ/ＮＡＣＫフィードバック情報を伝送する。
【０１５４】
ステップＳ５０９において、ＵＥは、全部または一部のマルチコード名伝送のダウンリンクキャリアのＡＣＫ/ＮＡＣＫフィードバック情報に対して、空間合併を行い、空間合併後のＡＣＫ/ＮＡＣＫフィードバックビット数がＡ-Ｃｒｅａｌを超えないようにする。
【０１５５】
ステップＳ５１０において、ＵＥは、ＡＣＫ/ＮＡＣＫまたはＣＳＩの対応のチャネル・リソースにおいて、前記空間合併後のＡＣＫ/ＮＡＣＫフィードバック情報と、前記ＣｒｅａｌビットのＣＳＩフィードバック情報とを同時に伝送する。
【０１５６】
実施例４
ＡとＢｍａｘとに基づいて最初の判断を行い、判定用のフィードバックビット数は、ＣＳＩ報告タイプの最大フィードバックビット数Ｃｔyｐｅ_ｍａｘである。
【０１５７】
図６は、本発明に係る実施例４のＵＣＩの伝送方法を示す図であり、以下のステップを備える。
【０１５８】
ステップＳ６０１において、ＵＥは、ＡＣＫ/ＮＡＣＫの、現在サブフレームにおける最大フィードバックビット数Ｂｍａｘを確定する。
【０１５９】
ここで、Ｂｍａｘの計算数式は、前述のステップＳ２０１と同じであり、この以上説明しない。
【０１６０】
ステップＳ６０２において、ＵＥは、ＣＳＩ報告タイプ優先レベル及び/またはキャリア番号に基づいて、１つのダウンリンクキャリアを選択し、当該ダウンリンクキャリアのＣＳＩ報告タイプに対応する、判断用のフィードバックビット数がＡ-Ｂｍａｘを超えるかを判断する。即ち、Ｃｔyｐｅ_ｍａｘ＞Ａ-Ｂｍａｘ成立するかを判断する。
【０１６１】
ここで、Ａは、現在サブフレームにおけるＵＣの同時伝送の閾値ビット数である。
【０１６２】
当該ステップが終了後、判断結果に基づいて、現在サブフレームにおいて伝送するＡＣＫ/ＮＡＣＫフィードバック情報、または、ＡＣＫ/ＮＡＣＫおよびＣＳＩフィードバック情報を確定し、現在サブフレームにおける対応のチャネル・リソースにおいて、前記フィードバック情報を伝送する。
【０１６３】
判断結果が「ＹＥＳ」である場合、ＵＥは、ステップＳ６０３を執行する。
【０１６４】
判断結果が「ＮＯ」である場合、ＵＥは、ステップＳ６１３を執行する。
【０１６５】
ステップＳ６０３において、ＵＥは、ＡＣＫ/ＮＡＣＫの、現在サブフレームにおける最小フィードバックビット数Ｂｍｉｎを確定する。
【０１６６】
ここで、Ｂｍｉｎの計算数式は、前述のステップＳ２０１と同じであり、この以上説明しない。
【０１６７】
ステップＳ６０４において、ＵＥは、Ｃｔyｐｅ_ｍａｘ＞Ａ-Ｂｍｉｎが成立するかを判断する。
【０１６８】
判断結果が「ＮＯ」である場合、Ｓ６０５を執行する。
【０１６９】
判断結果が「ＹＥＳ」である場合、ステップＳ６１１を執行する。
【０１７０】
ステップＳ６０５において、ＵＥは、全部または一部のマルチコード名伝送のダウンリンクキャリアのＡＣＫ/ＮＡＣＫフィードバック情報に対して、空間合併を行い、空間合併後のＡＣＫ/ＮＡＣＫフィードバックビット数がＡ-Ｃｔyｐｅ_ｍａｘを超えないようにする。
【０１７１】
ステップＳ６０６において、ＵＥは、現在サブフレームにおいて伝送すべき前記選択したダウンリンクキャリアのＣＳＩの伝送ビット数がＣｔyｐｅ_ｍａｘであると確定し、選択したダウンリンクキャリアのＣｒｅａｌビットの実際ＳＩフィードバック情報を生成する。
【０１７２】
ステップＳ６０７において、ＵＥは、Ｃｒｅａｌ=Ｃｔyｐｅ_ｍａｘが成立するかを判断する。
【０１７３】
判断結果が「ＮＯ」である場合、ステップＳ６０８を執行する。
【０１７４】
判断結果が「ＹＥＳ」である場合、ステップＳ６１０を執行する。
【０１７５】
ステップＳ６０８において、ＵＥは、生成したＣｒｅａｌビットの実際ＳＩフィードバックビット数後に、Ｃｔyｐｅ_ｍａｘ-Ｃｒｅａｌビットの０を補充し、０を補充後のＣｔyｐｅ_ｍａｘビットのＣＳＩフィードバック情報を、現在サブフレームにおいてＵＥにより伝送すべきＣＳＩフィードバック情報とする。
【０１７６】
ステップＳ６０９において、ＵＥは、ＡＣＫ/ＮＡＣＫまたはＣＳＩの対応のチャネル・リソースにおいて、前記空間合併後のＡＣＫ/ＮＡＣＫフィードバック情報と、前記Ｃｔyｐｅ_ｍａｘビットのＣＳＩフィードバック情報とを伝送する。
【０１７７】
ステップＳ６１０において、ＵＥ在ＡＣＫ/ＮＡＣＫまたはＣＳＩの対応のチャネル・リソースにおいて、前記空間合併後のＡＣＫ/ＮＡＣＫフィードバック情報と、ＣｒｅａｌビットのＣＳＩフィードバック情報とを同時に伝送する。
【０１７８】
ステップＳ６１１において、ＵＥは、設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、ＢｍａｘビットのＡＣＫ/ＮＡＣＫフィードバック情報を生成する。
【０１７９】
ここで、Ｂｍａｘの計算数式は、前述のステップＳ２０１と同じであり、この以上説明しない。
【０１８０】
ステップＳ６１２において、ＵＥは、ＡＣＫ/ＮＡＣＫの対応のチャネル・リソースにおいて、ＢｍａｘビットのＡＣＫ/ＮＡＣＫフィードバック情報を伝送する。
【０１８１】
ステップＳ６１３において、ＵＥは、設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、ＢｍａｘビットのＡＣＫ/ＮＡＣＫフィードバック情報を生成する。
【０１８２】
ここで、Ｂｍａｘの計算数式は、前述のステップＳ２０１と同じであり、この以上説明しない。
【０１８３】
ステップＳ６１４において、ＵＥは、現在サブフレームにおいて伝送すべき前記選択したダウンリンクキャリアのＣＳＩの伝送ビット数がＣｔyｐｅ_ｍａｘであると確定し、選択したダウンリンクキャリアのＣｒｅａｌビットの実際ＳＩフィードバック情報を生成する。
【０１８４】
ステップＳ６１５において、ＵＥは、Ｃｒｅａｌ=Ｃｔyｐｅ_ｍａｘが成立するかを判断する。
【０１８５】
判断結果が「ＮＯ」である場合、ステップＳ６１６を執行する。
【０１８６】
判断結果が「ＹＥＳ」である場合、ステップＳ６１８を執行する。
【０１８７】
ステップＳ６１６において、ＵＥは、生成したＣｒｅａｌビットの実際ＳＩフィードバックビット数後に、Ｃｔyｐｅ_ｍａｘ-Ｃｒｅａｌビットの０を補充し、０を補充後のＣｔyｐｅ_ｍａｘビットのＣＳＩフィードバック情報を、現在サブフレームにおいてＵＥにより伝送すべきＣＳＩフィードバック情報とする。
【０１８８】
ステップＳ６１７において、ＵＥは、ＡＣＫ/ＮＡＣＫまたはＣＳＩの対応のチャネル・リソースにおいて、ＢｍａｘのＡＣＫ/ＮＡＣＫフィードバック情報と、Ｃｔyｐｅ_ｍａｘビットのＣＳＩフィードバック情報とを同時に伝送する。
【０１８９】
ステップＳ６１８において、ＵＥは、ＡＣＫ/ＮＡＣＫまたはＣＳＩの対応のチャネル・リソースにおいて、ＢｍａｘビットのＡＣＫ/ＮＡＣＫフィードバック情報と、ＣｒｅａｌビットのＣＳＩフィードバック情報とを同時に伝送する。
【０１９０】
上述の４つの実施例と対応するように、基地局側において、ＵＥにより伝送したＵＣＩを確定する必要があるため、基地局も上述の４つの実施例の規則に基づいて判断処理を行ることができるが、ただし、基地局自身が対応のＵＣＩフィードバック情報を生成することではなく、ＵＥにより報告したＵＣＩのビット数及び対応の伝送リソースのみを確定し、対応のＵＣＩの受信ができるようにする。ここで、説明を繰り返さない。また、これも同様に、本発明の保護範囲に属する。
【０１９１】
上述の各実施例の技術について、以下でさらに説明する。
【０１９２】
（１）ＲＩ値をベースにして報告するＣＳＩ報告タイプ（ｔyｐｅ１/１ａ/２/２ａ/２b/２ｃ）の場合、前記ＣＳＩ報告タイプに対応する最大フィードバックビット数は、当該ＣＳＩ報告タイプの、現在アンテナポート構成において、異なるＲＩ値に対応するフィードバックビット数の最大値である。他のＣＳＩ報告タイプ（ｔyｐｅ３/４/５/６）の場合、前記ＣＳＩ報告タイプに対応する最大フィードバックビット数は、実際フィードバックビット数である。
【０１９３】
たとえば、ｔｙｐｅ２報告タイプにおいて、表１に示すように、フィードバックモード１-１または１-２において、２アンテナポート伝送の端末の場合、ＲＩが１であれば６ビットに対応し、ＲＩが１より大きければ、８ビットに対応する。そうすると、２アンテナポート設定の場合、ＣＳＩ報告タイプ２に対応する最大ＣＳＩフィードバックビット数は、８ビットであり、ＣＳＩ報告タイプ２に対応する最大ＣＳＩフィードバックビット数は６ビットである。
【０１９４】
たとえば、ｔｙｐｅ３報告タイプにおいて、具体的な報告ビット数はＲＩ値と関わらない。選択したダウンリンクキャリアが現在サブフレームにおいて４層（ｌａｙｅｒ）伝送である場合、当該ＣＳＩ報告タイプの実際ビットは２ビットであり、ＣＳＩ報告タイプ３に対応する最大及び最小ＣＳＩフィードバックビット数は、ともに２ビットである。
【０１９５】
（２）伝送する前記ＵＣＩのＰＵＣＣＨ ｆｏｒｍａｔは、ＰＵＣＣＨ ｆｏｒｍａｔ２、３であってもよいし、他の新しく定義した大容量ＰＵＣＣＨ ｆｏｒｍａｔであってもよい。たとえば、ＰＵＳＣＨ伝送構成に基づくＰＵＣＣＨ ｆｏｒｍａｔ。
【０１９６】
前記ＰＵＣＣＨ ｆｏｒｍａｔがｆｏｒｍａｔ３である場合、前記ＰＵＣＣＨ ｆｏｒｍａｔ３チャネル・リソースは、ＡＣＫ/ＮＡＣＫに対応するチャネル・リソース、または周期ＣＳＩに対応するチャネル・リソースであることができる。
【０１９７】
好ましくは、ＡＣＫ/ＮＡＣＫがＰＵＣＣＨ ｆｏｒｍａｔ３で伝送するように設定される場合、前記ＰＵＣＣＨ ｆｏｒｍａｔ３チャネル・リソースは、ＡＣＫ/ＮＡＣＫに対応するチャネル・リソースであることができる。ＡＣＫ/ＮＡＣＫがＰＵＣＣＨ ｆｏｒｍａｔ１b ｗｉｔｈ ＣｈＡｎｎｅｌ ｓｅｌｅＣｔｉｏｎで伝送するように設定される場合、前記ＰＵＣＣＨ ｆｏｒｍａｔ３チャネル・リソースは、ＣＳＩに対応するチャネル・リソースであることができる。
【０１９８】
（３）上述のように、前記Ａ値は、事前に定義（シグナリング通知がいらない）した値であるか、または上位層シグナリングや、ＰＤＣＣＨシグナリングにより通知された値である。当該値はＰＵＣＣＨ ｆｏｒｍａｔの最大搬送ビット数、またはＰＵＣＣＨ ｆｏｒｍａｔの最大搬送ビット数とＳＲビット数の差を超えないいずれの正の整数である。
【０１９９】
前記ＰＵＣＣＨ ｆｏｒｍａｔがｆｏｒｍａｔ３である場合、以下の例を挙げる。
【０２００】
判定用のフィードバックビット数がＣＳＩ報告タイプの実際フィードバックビット数Ｃｒｅａｌである場合、Ａを事前に２１または２２に設定するか、または、ＳＲ伝送サブフレームにおいて、Ａを事前に２１に設定し、非ＳＲ伝送サブフレームにおいて、Ａを事前に２２に設定する。
【０２０１】
判定用のフィードバックビット数がＣＳＩ報告タイプの最大フィードバックビット数Ｃｔｙｐｅ_ｍａｘである場合、ｔｙｐｅ３/４/５/６に対し、Ａを事前に２１またはＡを事前に２２に設定する。または、ＳＲ伝送サブフレームにおいて、Ａを事前に２１に設定し、非ＳＲ伝送サブフレームにおいて、Ａを事前に２２に設定する。ｔｙｐｅ３/４/５/６以外のｔｙｐｅに対し、ＡＣＫ/ＮＡＣＫフィードバックビット数と、ＣＳＩフィードバックビット数とに基づいて、事前に設定するか、または上位層シグナリングや、ＰＤＣＣＨシグナリングにより通知された１つの２１または２２ビットを超えないいずれの正の整数値である。
【０２０２】
または、すべてのＣＳＩ ｒｅｐｏｒｔｉｎｇ ｔｙｐｅに対し、１つのサブフレームにおいてフィードバックするＡＣＫ/ＮＡＣＫビット数Ａ１に基づいて、ＣＳＩ ｒｅｐｏｒｔｉｎｇ ｔｙｐｅの最大フィードバックビット数がＡ２であり、Ａをｍｉｎ（Ａ１+Ａ２，２２）にするか、またはＡをｍｉｎ（Ａ１+Ａ２，２２-ＡＳＲ）にするか、またはＡをｍｉｎ（Ａ１+Ａ２，２２）またはｍｉｎ（Ａ１+Ａ２，２２-ＡＳＲ）を超えないいずれの正の整数にするように、事前に設定するか、またはシグナリングにより設定する。ここで、ＡＳＲは、ＳＲビット数であり、ＳＲサブフレームにおいて事前に１に設定し、非ＳＲサブフレームにおいて事前に０し、または、すべてのサブフレームにおいて１または０に設定する。
【０２０３】
さらに説明すべくのは、上述各実施例の方法は、同様に、ｉｎｔｒａ-bａｎｄ ＣＡと、ｉｎｔｅｒ-bａｎｄ ＣＡに適用でき、且つｉｎｔｅｒ-bａｎｄの場合、異なるＴＤＤアップリンク/ダウンリンク構成を採用するキャリアアグリゲーションシナリオにも適用できる。
【０２０４】
また、上述各実施例の方法は、複数のキャリアが設定されたＵＥ、及び１つのキャリアが設定されたＵＥにも適用される。
【０２０５】
上述各実施例の方法は、同様にＦＤＤと、ＴＤＤシステムにも適用できる。
【０２０６】
従来技術と比べ、本発明に係る実施例の技術案は以下のメリットを有する。
【０２０７】
本発明に係る実施例の技術案を実施することにより、現在サブフレームに対応するチャネル・リソースにおいて、同時伝送ＡＣＫ/ＮＡＣＫ及び周期ＣＳＩの同時伝送方法を実現できる。現在サブフレームにおけるＵＣＩが同時に伝送する閾値ビット数と、ＡＣＫ/ＮＡＣＫの現在サブフレームにおける最大及び最小フィードバックビット数とに基づいて、第１種ＵＣＩと同時に伝送する第２種ＵＣＩの伝送ビット数を動的に確定し、同時に伝送するＵＣＩビットの和が、現在サブフレームにおけるＵＣＩが同時に伝送する閾値ビット数を超えないことを確保できる。ＡＣＫ/ＮＡＣＫ合併とＣＳＩ放棄をなくべく防ぎ、アップリンク情報伝送の正確性及び整合性を最大限に確保する。
【０２０８】
本発明に係る実施例の技術を実施するため、本発明に係る実施例は、端末装置をさらに提供し、その構造は図７に示すように、以下のモジュールを備える。
【０２０９】
確定モジュール７１は、ＡＣＫ/ ＮＡＣＫの、現在サブフレームにおける最小フィードバックビット数Ｂｍｉｎ及び/または最大フィードバックビット数Ｂｍａｘを確定する。
【０２１０】
判断モジュール７２は、１つのダウンリンクキャリアを選択し、前記ダウンリンクキャリアのＣＳＩ報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断する。
【０２１１】
処理モジュール７３は、前記判断モジュール７２の判断結果がＣ＞Ａ-Ｂｍｉｎである場合、ＢｍａｘビットのＡＣＫ/ＮＡＣＫフィードバック情報を生成し、現在サブフレームにおける対応のチャネル・リソースにおいて、生成した前記ＡＣＫ/ＮＡＣＫフィードバック情報を伝送する。
【０２１２】
前記判断モジュール７２の判断結果がＣ≦Ａ-Ｂｍａｘである場合、ＢｍａｘビットのＡＣＫ/ＮＡＣＫフィードバック情報と、ＣビットのＣＳＩフィードバック情報とを生成し、現在サブフレームにおける対応のチャネル・リソースにおいて、生成した前記ＡＣＫ/ＮＡＣＫフィードバック情報と、前記ＣＳＩフィードバック情報とを同時に伝送する。
【０２１３】
前記判断モジュール７２の判断結果が他の結果である場合、ＣビットのＣＳＩフィードバック情報を生成し、全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した空間合併後のＡＣＫ/ＮＡＣＫフィードバック情報と、前記ＣＳＩフィードバック情報とを同時に伝送する。ここで、前記空間合併後のＡＣＫ/ＮＡＣＫフィードバック情報のビット数は、Ａ-Ｃの値を超えない。
【０２１４】
以下、前記確定モジュール７１に対して説明する。
【０２１５】
設定キャリア数Ｎと、各キャリアｉ上の、現在サブフレームにおいてＡＣＫ/ＮＡＣＫをフィードバックすべきダウンリンクサブフレーム数Ｍｉとに基づいて、数１により、前記Ｂｍｉｎを確定する。
【０２１６】
0005992102.tif 000005
及び/または、
設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、数２により、前記Ｂｍａｘを確定する。
【０２１７】
0005992102.tif 000006
【０２１８】
ここで、Ｃｉの値は、以下の規則に従い、
【０２１９】
シングルコード名伝送のキャリアの場合、Ｃｉは１であり、マルチコード名伝送のキャリアの場合、Ｃｉは２である。
【０２２０】
或いは、シングルコード名伝送、またはマルチコード名伝送であり、且つ空間合併を利用するキャリアの場合、Ｃｉは１であり、マルチコード名伝送であり、且つ空間合併を利用しないキャリアの場合、Ｃｉは２である
【０２２１】
Ｍｉは、キャリアｉ上の、現在サブフレームにおいてＡＣＫ/ＮＡＣＫをフィードバックすべきダウンリンクサブフレーム数を示し、その値は以下の規則に従い、周波数分割複信（ＦＤＤ）システムの場合、Ｍｉは１であり、時分割複信（ＴＤＤ）システムの場合、異なるアグリゲーションキャリアに対応するＭｉの値は、同一であるか、異なる。
【０２２２】
ここで、説明すべくのは、前記判断モジュール７２は、以下のように用いられる。
【０２２３】
１つのダウンリンクキャリアを選択し、且つ、前記ダウンリンクキャリアのＣＳＩ報告タイプの実際フィードバックビット数Ｃｒｅａｌと、Ａや、Ｂｍｉｎ及び/またはＢｍａｘとの関係を判断する。
【０２２４】
１つのダウンリンクキャリアを選択し、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断する。
【０２２５】
ある実用のシナリオにおいて、前記判断モジュール７２が、前記ダウンリンクキャリアのＣＳＩ報告タイプの実際フィードバックビット数Ｃｒｅａｌと、Ａや、Ｂｍｉｎ及び/またはＢｍａｘとの関係を判断する場合、前記処理モジュール７３は以下のように動作する。
【０２２６】
前記判断モジュール７２の判断結果がＣｒｅａｌ＞Ａ-Ｂｍｉｎである場合、ＢｍａｘビットのＡＣＫ/ＮＡＣＫフィードバック情報を生成し、現在サブフレームにおける対応のチャネル・リソースにおいて、生成した前記ＡＣＫ/ＮＡＣＫフィードバック情報を伝送する。
【０２２７】
前記判断モジュール７２の判断結果がＣｒｅａｌ≦Ａ-Ｂｍａｘである場合、ＢｍａｘビットのＡＣＫ/ＮＡＣＫフィードバック情報と、ＣｒｅａｌビットのＣＳＩフィードバック情報とを生成し、現在サブフレームにおける対応のチャネル・リソースにおいて、生成した前記ＡＣＫ/ＮＡＣＫフィードバック情報と、前記ＣＳＩフィードバック情報とを同時に伝送する。
【０２２８】
前記判断モジュール７２の判断結果が他の結果である場合、ＣｒｅａｌビットのＣＳＩフィードバック情報を生成し、全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した空間合併後のＡＣＫ/ＮＡＣＫフィードバック情報と、前記ＣＳＩフィードバック情報とを同時に伝送する。ここで、前記空間合併後のＡＣＫ/ＮＡＣＫフィードバック情報のビット数は、Ａ-Ｃｒｅａｌの値を超えない。
【０２２９】
他のシナリオにおいて、前記判断モジュール７２が、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断する場合、前記処理モジュール７３は、以下のように動作する。
【０２３０】
前記判断モジュール７２の判断結果がＣｔyｐｅ_ｍａｘ＞Ａ-Ｂｍｉｎである場合、ＢｍａｘビットのＡＣＫ/ＮＡＣＫフィードバック情報を生成し、現在サブフレームにおける対応のチャネル・リソースにおいて、生成した前記ＢｍａｘビットのＡＣＫ/ＮＡＣＫフィードバック情報を伝送する。
【０２３１】
前記判断モジュール７２の判断結果がＣｔyｐｅ_ｍａｘ≦Ａ-Ｂｍａｘである場合、ＢｍａｘビットのＡＣＫ/ＮＡＣＫフィードバック情報と、Ｃｔyｐｅ_ｍａｘビットのＣＳＩフィードバック情報とを生成し、現在サブフレームにおける対応のチャネル・リソースにおいて、生成した前記ＢｍａｘビットのＡＣＫ/ＮＡＣＫフィードバック情報と、前記Ｃｔyｐｅ_ｍａｘビットのＣＳＩフィードバック情報とを伝送する。
【０２３２】
前記判断モジュール７２の判断結果が他の結果である場合、Ｃｔyｐｅ_ｍａｘビットのＣＳＩフィードバック情報を生成し、全部または一部のマルチコード名伝送のダウンリンクキャリアのＡＣＫ/ＮＡＣＫフィードバック情報に対して空間合併を行い、現在サブフレームにおける対応のチャネル・リソースにおいて、生成した空間合併後のＡＣＫ/ＮＡＣＫフィードバック情報と、前記Ｃｔyｐｅ_ｍａｘビットのＣＳＩフィードバック情報とを、同時に伝送する。ここで、前記空間合併後のＡＣＫ/ＮＡＣＫフィードバック情報のビット数は、Ａ-Ｃｔyｐｅ_ｍａｘの値を超えない。
【０２３３】
ここで、前記判断モジュール７２の判断結果がＣｔyｐｅ_ｍａｘ≦Ａ-Ｂｍａｘ、または他の結果である場合、前記処理モジュール７３は、下記の仕様で、Ｃｔyｐｅ_ｍａｘビットのＣＳＩフィードバック情報を生成する。
【０２３４】
ＣｒｅａｌビットのＣＳＩフィードバック情報を生成する。
【０２３５】
ＣｒｅａｌがＣｔyｐｅ_ｍａｘより小さい場合、前記ＣｒｅａｌビットのＣＳＩフィードバック情報後に、Ｃｔyｐｅ_ｍａｘ-Ｃｒｅａｌビットのプレースホルダーを補充し、プレースホルダー補充後のＣＳＩフィードバック情報を、前記Ｃｔyｐｅ_ｍａｘビットのＣＳＩフィードバック情報として確定する。
【０２３６】
Ｃｒｅａｌ=Ｃｔyｐｅ_ｍａｘである場合、実際に生成したＣｒｅａｌビットのＣＳＩフィードバック情報が前記Ｃｔyｐｅ_ｍａｘビットのＣＳＩフィードバック情報として確定する。
【０２３７】
ここで、説明すべくのは、前記判断モジュール７２は、以下のように動作する。
【０２３８】
ＣＳＩ報告タイプ優先レベルに基づいて、最高優先レベルＣＳＩ報告タイプを有するダウンリンクキャリアを１つ選択する。ここで、複数のダウンリンクキャリアが同時に最高優先レベルＣＳＩ報告タイプを有する場合、キャリア番号に基づいて、前記複数のキャリア中の最小キャリア番号を有するダウンリンクキャリアを選択する。
【０２３９】
或いは、直接キャリア番号に基づいて、最小キャリア番号を有するダウンリンクキャリアを選択する。
【０２４０】
或いは、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定し、ＣＳＩ報告タイプ優先レベルに基づいて、前記ダウンリンクキャリア集合から、最高優先レベルＣＳＩ報告タイプを有するダウンリンクキャリアを１つ選択する。ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択する。
【０２４１】
或いは、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定する。且つ、直接にキャリア番号に基づいて、前記ダウンリンクキャリア集合における最小キャリア番号を有するダウンリンクキャリアを選択する。
【０２４２】
或いは、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定する。ＣＳＩ報告タイプ優先レベルに基づいて、前記ダウンリンクキャリア集合から、最高優先レベルＣＳＩ報告タイプを有するダウンリンクキャリアを１つ選択する。ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択する。
【０２４３】
或いは、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定する。且つ、直接にキャリア番号に基づいて、前記ダウンリンクキャリア集合における最小キャリア番号を有するダウンリンクキャリアを選択する。
【０２４４】
具体的に、前記判断モジュール７２が、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定するか、または、前記判断モジュール７２がＭ現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定する場合、前記判断モジュール７２は、以下のように動作する。
【０２４５】
判断モジュール７２は、確定したダウンリンクキャリア集合が空集合であると判断すれば、直接にＣ＞Ａ-Ｂｍｉｎと判断する。
【０２４６】
他のシナリオにおいて、前記確定モジュール７１は以下のように動作する。
【０２４７】
ランク指示ＲＩ値に基づいて報告するＣＳＩ報告タイプの場合、確定前記ＣＳＩ報告タイプに対応する最大フィードバックビット数Ｃｔyｐｅ_ｍａｘが、前記ＣＳＩ報告タイプにおいて現在設定した異なるＲＩ値に対応するフィードバックビット数の最大値であると確定する。
【０２４８】
他のＣＳＩ報告タイプの場合、前記ＣＳＩ報告タイプに対応する最大フィードバックビット数Ｃｔｙｐｅ_ｍａｘは、実際フィードバックビット数であると確定する。
【０２４９】
ここで、前記現在サブフレームが、スケジューリング・リクエスト（ＳＲ）伝送サブフレームである場合、前記処理モジュール７３は、以下のように確定する。
【０２５０】
現在サブフレームにおける対応のチャネル・リソースにおいて、生成した前記ＡＣＫ/ＮＡＣＫフィードバック情報と、１ビットＳＲとを伝送し、または、生成したＡＣＫ/ＮＡＣＫフィードバック情報と、前記ＣＳＩフィードバック情報と、１ビットＳＲとを同時に伝送するか、または、生成した空間合併後のＡＣＫ/ＮＡＣＫフィードバック情報と、前記ＣＳＩフィードバック情報と、１ビットＳＲとを同時に伝送する。
【０２５１】
さらに、前記確定モジュール７１は、事前設定、または上位層シグナリングや、物理ダウンリンク制御チャネルＰＤＣＣＨシグナリングにより取得した設定情報に基づいて、前記閾値ビット数Ａを確定する。ここで、前記Ａは、現在サブフレームにおける、ＡＣＫ/ＮＡＣＫフィードバック情報及びＣＳＩフィードバック情報を同時に伝送するアップリンク伝送案の最大搬送ビット数を超えない値であるか、または前記アップリンク伝送方案の最大搬送ビット数とＳＲビット数の差を越えないいずれの正の整数である。
【０２５２】
また、本発明に係る実施例の基地局の構造は、図８に示すように、下記のモジュールを備える。
【０２５３】
確定モジュール８１は、端末装置によりフィードバックしたＡＣＫ/ＮＡＣＫの、現在サブフレームにおける最小フィードバックビット数Ｂｍｉｎ及び/または最大フィードバックビット数Ｂｍａｘを確定する。
【０２５４】
判断モジュール８２は、１つのダウンリンクキャリアを選択し、前記ダウンリンクキャリアのＣＳＩ報告タイプに対応する、判断用のフィードバックビット数Ｃと、現在サブフレームにおけるＵＣの同時伝送の閾値ビット数Ａや、前記Ｂｍｉｎ及び/またはＢｍａｘとの関係を判断する。
【０２５５】
処理モジュール８３は、前記判断モジュール８２の判断結果がＣ＞Ａ-Ｂｍｉｎである場合、現在サブフレームにおいて前記端末装置により伝送するＢｍａｘビットのＡＣＫ/ＮＡＣＫフィードバック情報を確定し、現在サブフレームにおける対応のチャネル・リソースにおいて、前記確定したフィードバック情報ビット数に基づいて、前記端末装置により伝送したＡＣＫ/ＮＡＣＫフィードバック情報を受信する。
【０２５６】
前記判断モジュール８２の判断結果がＣ≦Ａ-Ｂｍａｘである場合、現在サブフレームにおいて前記端末装置により伝送するＢｍａｘビットのＡＣＫ/ＮＡＣＫフィードバック情報と、ＣビットのＣＳＩフィードバック情報とを確定し、現在サブフレームにおける対応のチャネル・リソースにおいて、前記確定したフィードバック情報ビット数に基づいて、前記端末装置により伝送したＡＣＫ/ＮＡＣＫフィードバック情報と、ＣＳＩフィードバック情報とを同時に受信する。
【０２５７】
前記判断モジュール８２の判断結果が他の結果である場合、現在サブフレームにおいて前記端末装置により伝送するＣビットのＣＳＩフィードバック情報を確定し、現在サブフレームにおいて前記端末装置により伝送するＡＣＫ/ＮＡＣＫフィードバック情報のビット数が、全部または一部のマルチコード名伝送のダウンリンクキャリアのＡＣＫ/ＮＡＣＫフィードバック情報を空間合併した後のビット数であると確定し、現在サブフレームにおける対応のチャネル・リソースにおいて、前記確定したフィードバック情報ビット数に基づいて、前記端末装置により伝送した空間合併後のＡＣＫ/ＮＡＣＫフィードバック情報と、前記ＣＳＩフィードバック情報とを同時に受信する。
【０２５８】
前記確定モジュール８１は、具体的に以下のように動作する。
【０２５９】
前記端末装置に対応する設定キャリア数Ｎと、各キャリアｉ上の、現在サブフレームにおいてＡＣＫ/ＮＡＣＫをフィードバックすべきダウンリンクサブフレーム数Ｍｉとに基づいて、数１により、前記Ｂｍｉｎを確定する。
【０２６０】
0005992102.tif 000007
【０２６１】
及び/または、前記端末装置に対応する設定キャリア数Ｎと、各設定キャリアの伝送モードと、各キャリアｉ上の、現在サブフレームにおいてＡＣＫ/ＮＡＣＫをフィードバックすべきダウンリンクサブフレーム数Ｍｉとに基づいて、数２により、前記Ｂｍａｘを確定する。
【０２６２】
0005992102.tif 000008
【０２６３】
ここで、Ｃｉの値は、以下の規則に従い、
【０２６４】
シングルコード名伝送のキャリアの場合、Ｃｉは１であり、マルチコード名伝送のキャリアの場合、Ｃｉは２である。
【０２６５】
或いは、シングルコード名伝送、またはマルチコード名伝送であり、且つ空間合併を利用するキャリアの場合、Ｃｉは１であり、マルチコード名伝送であり、且つ空間合併を利用しないキャリアの場合、Ｃｉは２である。
【０２６６】
Ｍｉは、キャリアｉ上の、現在サブフレームにおいてＡＣＫ/ＮＡＣＫをフィードバックすべきダウンリンクサブフレーム数を示し、その値は以下の規則に従い、ＦＤＤシステムの場合、Ｍｉは１であり、ＴＤＤシステムの場合、異なるアグリゲーションキャリアに対応するＭｉの値は、同一であるか、異なる。
【０２６７】
ここで、説明すべくのは、前記判断モジュール８２は、１つのダウンリンクキャリアを選択し、前記ダウンリンクキャリアのＣＳＩ報告タイプの実際フィードバックビット数Ｃｒｅａｌと、Ａや、Ｂｍｉｎ及び/またはＢｍａｘとの関係を判断する。
【０２６８】
或いは、１つのダウンリンクキャリアを選択し、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断する。
【０２６９】
ある実施シナリオにおいて、前記判断モジュール８２が、前記ダウンリンクキャリアのＣＳＩ報告タイプの実際フィードバックビット数Ｃｒｅａｌと、Ａや、Ｂｍｉｎ及び/またはＢｍａｘとの関係を判断する場合、前記処理モジュール８３は、以下のように動作する。
【０２７０】
前記判断モジュール８２の判断結果がＣｒｅａｌ＞Ａ-Ｂｍｉｎである場合、現在サブフレームにおいて前記端末装置により伝送するＢｍａｘビットのＡＣＫ/ＮＡＣＫフィードバック情報を確定し、現在サブフレームにおける対応のチャネル・リソースにおいて、前記確定したフィードバック情報ビット数に基づいて、前記端末装置により伝送するＢｍａｘビットのＡＣＫ/ＮＡＣＫフィードバック情報を受信する。
【０２７１】
前記判断モジュール８２の判断結果がＣｒｅａｌ≦Ａ-Ｂｍａｘである場合、現在サブフレームにおいて前記端末装置により伝送するＢｍａｘビットのＡＣＫ/ＮＡＣＫフィードバック情報と、ＣｒｅａｌビットのＣＳＩフィードバック情報とを確定し、現在サブフレームにおける対応のチャネル・リソースにおいて、前記確定したフィードバック情報ビット数に基づいて、前記端末装置により伝送するＢｍａｘビットのＡＣＫ/ＮＡＣＫフィードバック情報と、ＣｒｅａｌビットのＣＳＩフィードバック情報とを同時に受信する。
【０２７２】
前記判断モジュール８２の判断結果が他の結果である場合、現在サブフレームにおいて前記端末装置により伝送されるＣｒｅａｌビットのＣＳＩフィードバック情報を確定し、前記端末装置により伝送するＡＣＫ/ＮＡＣＫフィードバック情報のビット数が、全部または一部のマルチコード名伝送のダウンリンクキャリアのＡＣＫ/ＮＡＣＫフィードバック情報に対して空間合併を行った後のビット数であると確定し、現在サブフレームにおける対応のチャネル・リソースにおいて、前記確定したフィードバック情報ビット数に基づいて、前記端末装置により伝送した空間合併後のＡＣＫ/ＮＡＣＫフィードバック情報と、前記ＣｒｅａｌビットのＣＳＩフィードバック情報とを同時に受信する。ここで、前記空間合併後のＡＣＫ/ＮＡＣＫフィードバック情報のビット数は、Ａ-Ｃｒｅａｌの値を超えない。
【０２７３】
他の実用のシナリオにおいて、前記判断モジュール８２が、前記ダウンリンクキャリアのＣＳＩ報告タイプに対応する最大フィードバックビット数Ｃｔyｐｅ_ｍａｘと、Ａや、Ｂｍｉｎ及び/またはＢｍａｘとの関係を判断する場合、前記処理モジュール８３は、以下のように動作する。
【０２７４】
前記判断モジュール８２の判断結果がＣｔyｐｅ_ｍａｘ＞Ａ-Ｂｍｉｎである場合、現在サブフレームにおいて前記端末装置により伝送するＢｍａｘビットのＡＣＫ/ＮＡＣＫフィードバック情報を確定し、現在サブフレームにおける対応のチャネル・リソースにおいて、前記確定したフィードバック情報ビット数に基づいて、前記端末装置により伝送した前記ＢｍａｘビットのＡＣＫ/ＮＡＣＫフィードバック情報を受信する。
【０２７５】
前記判断モジュール８２の判断結果がＣｔyｐｅ_ｍａｘ≦Ａ-Ｂｍａｘである場合、現在サブフレームにおいて前記端末装置により伝送するＢｍａｘビットのＡＣＫ/ＮＡＣＫフィードバック情報と、Ｃｔyｐｅ_ｍａｘビットのＣＳＩフィードバック情報とを確定し、現在サブフレームにおける対応のチャネル・リソースにおいて、前記確定したフィードバック情報ビット数に基づいて、前記端末により伝送した前記ＢｍａｘビットのＡＣＫ/ＮＡＣＫフィードバック情報と、前記Ｃｔyｐｅ_ｍａｘビットのＣＳＩフィードバック情報とを同時に受信する。
【０２７６】
前記判断モジュール８２の判断結果が他の結果である場合、現在サブフレームにおいて前記端末装置により伝送するＣｔyｐｅ_ｍａｘビットのＣＳＩフィードバック情報を確定し、現在サブフレームにおいて前記端末装置により伝送するＡＣＫ/ＮＡＣＫフィードバック情報のビット数が、全部または一部のマルチコード名伝送のダウンリンクキャリアのＡＣＫ/ＮＡＣＫフィードバック情報を空間合併した後のビット数であると確定し、現在サブフレームにおける対応のチャネル・リソースにおいて、前記確定したフィードバック情報ビット数に基づいて、前記端末装置により伝送した空間合併後のＡＣＫ/ＮＡＣＫフィードバック情報と、前記Ｃｔyｐｅ_ｍａｘビットのＣＳＩフィードバック情報とを受信する。ここで、前記空間合併後のＡＣＫ/ＮＡＣＫフィードバック情報のビット数は、Ａ-Ｃｔyｐｅ_ｍａｘの値を超えない。
【０２７７】
ここで、前記判断モジュール８２の判断結果がＣｔyｐｅ_ｍａｘ≦Ａ-Ｂｍａｘであるか、他の結果である場合、前記処理モジュール８３は、下記の仕様で、現在サブフレームにおいて前記端末装置により伝送するＣｔyｐｅ_ｍａｘビットのＣＳＩフィードバック情報を確定する。
【０２７８】
前記端末装置がＣｒｅａｌビットのＣＳＩフィードバック情報を生成することを確定する。
【０２７９】
ＣｒｅａｌがＣｔyｐｅ_ｍａｘより小さい場合、前記Ｃｔyｐｅ_ｍａｘビットのＣＳＩフィードバック情報にＣｔyｐｅ_ｍａｘ-Ｃｒｅａｌビットのプレースホルダーが含まれることを確定し、受信した前記Ｃｔyｐｅ_ｍａｘビットのＣＳＩフィードバック情報中の前のＣｒｅａｌビット情報と、前記ダウンリンクキャリアの実際ＳＩフィードバック情報とする。
【０２８０】
Ｃｒｅａｌ=Ｃｔyｐｅ_ｍａｘである場合、前記基地局は、前記Ｃｔyｐｅ_ｍａｘビットのＣＳＩフィードバック情報が、前記ダウンリンクキャリアの実際ＳＩフィードバック情報であると確定する。
【０２８１】
ここで、説明すべくのは、前記判断モジュール８２は、以下のように動作する。
【０２８２】
ＣＳＩ報告タイプ優先レベルに基づいて、最高優先レベルＣＳＩ報告タイプを有するダウンリンクキャリアを１つ選択する。ここで、複数のダウンリンクキャリアが同時に最高優先レベルＣＳＩ報告タイプを有する場合、キャリア番号に基づいて、前記複数のキャリア中の最小キャリア番号を有するダウンリンクキャリアを選択する。
【０２８３】
或いは、直接にキャリア番号に基づいて、最小キャリア番号を有するダウンリンクキャリアを選択する。
【０２８４】
或いは、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定する。ＣＳＩ報告タイプ優先レベルに基づいて、前記ダウンリンクキャリア集合から、最高優先レベルＣＳＩ報告タイプを有するダウンリンクキャリアを１つ選択する。ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択する。
【０２８５】
或いは、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定する。且つ、直接にキャリア番号に基づいて、前記ダウンリンクキャリア集合における最小キャリア番号を有するダウンリンクキャリアを選択する。
【０２８６】
或いは、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定する。ＣＳＩ報告タイプ優先レベルに基づいて、前記ダウンリンクキャリア集合から、最高優先レベルＣＳＩ報告タイプを有するダウンリンクキャリアを１つ選択する。ここで、前記ダウンリンクキャリア集合における複数のキャリアが最高優先レベルＣＳＩ報告タイプを同時に有する場合、キャリア番号に基づいて、前記複数のキャリア中の最小キャリア番号を有するダウンリンクキャリアを選択する。
【０２８７】
或いは、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定する。且つ、直接にキャリア番号に基づいて、前記ダウンリンクキャリア集合における最小キャリア番号を有するダウンリンクキャリアを選択する。
【０２８８】
具体的に、前記判断モジュール８２が、現在サブフレームにＣＳＩフィードバックがあるダウンリンクキャリア中の、ＣＳＩ報告タイプに対応する最大フィードバックビット数がＡ-Ｂｍｉｎビットを超えないダウンリンクキャリア集合を確定するか、または前記判断モジュール８２が、現在サブフレームにＣＳＩフィードバックがあるダウンリンクキャリア中の、ＣＳＩ報告タイプの実際フィードバックビット数がＡ-Ｂｍｉｎビットを超えないダウンリンクキャリア集合を確定する場合、前記判断モジュール８２は以下のように動作する。
【０２８９】
前記基地局により確定したダウンリンクキャリア集合が空集合である場合、Ｃ＞Ａ-Ｂｍｉｎであると直接に判断する。
【０２９０】
他の実施シナリオにおいて、前記確定モジュール８１は、以下のように動作する。
【０２９１】
ＲＩ値をベースにして報告するＣＳＩ報告タイプの場合、前記ＣＳＩ報告タイプに対応する最大フィードバックビット数Ｃｔyｐｅ_ｍａｘが、当該ＣＳＩ報告タイプにおける、現在設定状態の異なるＲＩ値に対応するフィードバックビット数の最大値であると確定する。
【０２９２】
他のＣＳＩ報告タイプの場合、前記ＣＳＩ報告タイプに対応する最大フィードバックビット数Ｃｔyｐｅ_ｍａｘが、実際フィードバックビット数であると確定する。
【０２９３】
ここで、前記現在サブフレームが、スケジューリング・リクエスト（ＳＲ）伝送サブフレームである場合、前記処理モジュール８３は、下記のように動作する。
【０２９４】
現在サブフレームにおける対応のチャネル・リソースにおいて、前記端末装置により伝送した前記ＡＣＫ/ＮＡＣＫフィードバック情報和１ビットＳＲを受信するか、または前記端末装置により伝送したＡＣＫ/ＮＡＣＫフィードバック情報と、前記ＣＳＩフィードバック情報和１ビットＳＲとを同時に受信するか、または、前記端末装置により伝送した空間合併後のＡＣＫ/ＮＡＣＫフィードバック情報と、前記ＣＳＩフィードバック情報と、１ビットＳＲとを同時に受信する。
【０２９５】
さらに、前記確定モジュール８１，さらに：事前設定に基づいて前記閾値ビット数Ａを確定するか、または前記閾値ビット数Ａを確定して、上位層シグナリングや、物理ダウンリンク制御チャネルＰＤＣＣＨシグナリングにより、前記Ａを、前記端末装置に割り当てる。 ここで、前記Ａは、現在サブフレームにおける、ＡＣＫ/ＮＡＣＫフィードバック情報及びＣＳＩフィードバック情報を同時に伝送するアップリンク伝送案の最大搬送ビット数を超えない値であるか、または前記アップリンク伝送方案の最大搬送ビット数とＳＲビット数の差を越えないいずれの正の整数である。
【０２９６】
従来技術と比べ、本発明に係る実施例の技術案は以下のメリットを有する。
【０２９７】
本発明に係る実施例の技術案を実施することにより、現在サブフレームに対応するチャネル・リソースにおいて、同時伝送ＡＣＫ/ＮＡＣＫ及び周期ＣＳＩの同時伝送方法を実現できる。現在サブフレームにおけるＵＣＩが同時に伝送する閾値ビット数と、ＡＣＫ/ＮＡＣＫの現在サブフレームにおける最大及び最小フィードバックビット数とに基づいて、第１種ＵＣＩと同時に伝送する第２種ＵＣＩの伝送ビット数を動的に確定し、同時に伝送するＵＣＩビットの和が、現在サブフレームにおけるＵＣＩが同時に伝送する閾値ビット数を超えないことを確保できる。ＡＣＫ/ＮＡＣＫ合併とＣＳＩ放棄をなくべく防ぎ、アップリンク情報伝送の正確性及び整合性を最大限に確保する。
【０２９８】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置と光学記憶装置等を含むがそれとは限らない）において実施する。
【０２９９】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実行し、フロー図における一つ或いは複数のフローおよび／またはブロック図における一つ或いは複数のブロックに指定する機能を実現する。
【０３００】
これらのコンピュータプログラム指令は又、コンピュータ或いは他のプログラム可能なデータ処理装置を特定仕様で動作させるコンピュータ読取記憶装置に記憶できる。これによって、指令を含む装置は当該コンピュータ読取記憶装置内の指令を実行でき、フロー図における一つ或いは複数のフローおよび／またはブロック図における一つ或いは複数のブロックに指定する機能を実現する。
【０３０１】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実行することによって、関連の処理を実現し、コンピュータ或いは他のプログラム可能な設備において実行される指令によって、フロー図における一つ或いは複数のフローおよび／またはブロック図における一つ或いは複数のブロックに指定する機能を実現する。
【０３０２】
上述した実施形態に記述された技術的な解決手段を改造し、或いはその中の一部の技術要素を置換することもできる。そのような、改造と置換は本発明の各実施形態の技術の範囲から逸脱するとは見なされない。
【０３０３】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【図１】
0005992102.tif 000017
【図２】
0005992102.tif 000018
【図３】
0005992102.tif 000019
【図４】
0005992102.tif 000020
【図５】
0005992102.tif 000021
【図６】
0005992102.tif 000022
【図７】
0005992102.tif 000023
【図８】
0005992102.tif 000024